(57)【要約】【課題】Ｘ線撮影に必要な各種を相互に、かつ自動的にリンクし、これらデータを一元的に取り扱うことができて、操作性を高め、簡単かつ正確に操作を行なうことを可能にする。【解決手段】予約登録確認画面３０には、「日付」ボタン３９で表示される検査日に行なわれる検査（Ｘ線撮影）に関する検査情報４４が表示され、このいずれかの検査情報４４を選択することにより、この検査情報４４に関する詳細（患者情報や手技など）の確認や修正を行なうことができ、「患者追加」ボタン４８を操作することにより、新たな予約患者に対する必要な情報の入力を可能とする画面が表示され、「撮影画面」ボタン４９を操作することにより、選択した検査情報に対する患者の手技の確認や撮影開始の指示，撮影結果の画像の確認を行なうための画面を表示させることができる。【選択図】図５
2006081761.tif 000002
【特許請求の範囲】
【請求項１】
患者の所定の部位にＸ線を照射して該部位をＸ線撮影し、撮影した該部位の撮影画像データを発生する撮影装置本体と、該撮影装置本体で発生されたＸ線撮影画像データを取得し、該Ｘ線撮影画像データや該Ｘ線撮影に関するデータを表示画面に表示する操作卓とからなるＸ線撮影装置の画像表示方法において、
該表示画面に、検査日を表示した日付指定手段と、該日付指定手段で表示される検査日での予約された検査毎に検査情報を表示した検査の一覧とが表示した予約登録確認画面が表示され、
該日付指定手段と該検査の一覧での該検査情報夫々の表示欄とが操作可能に表示されることを特徴とするＸ線撮影装置の画像表示方法。
【請求項２】
請求項１において、
前記日付指定手段を操作することにより、カレンダ画面が表示され、
該カレンダ画面では、１ヶ月毎にカレンダが表示されて該カレンダの各日付の表示欄が操作可能に表示され、かつ該各日付毎に予約状況を示す表示欄が設けられ、
該カレンダ画面での日付の指定操作により、前記登録確認画面での前記日付指定手段に表示される検査日を変更可能としたことを特徴とするＸ線装置の画像表示方法。
【請求項３】
請求項１において、
前記検査の一覧でのいずれかの検査情報を操作して選択することにより、選択された該検査情報の患者の患者関連情報と、該患者の前記日付指定手段で表示されている検査日での検査情報とを表示したＩＤ入力画面が表示され、
該患者関連情報での各項目と該検査情報との表示欄が操作可能に表示されることを特徴とするＸ線撮影装置の画像表示方法。
【請求項４】
請求項３において、
前記ＩＤ入力画面での前記患者関連情報のいずれかの項目の表示欄をタッチ操作することにより、前記患者関連情報の編集を可能とする患者情報編集画面が表示されることを特徴とするＸ線撮影装置の画像表示方法。
【請求項５】
請求項３において、
前記ＩＤ入力画面に「手技編集」ボタンが設けられており、前記ＩＤ入力画面で所望とする前記検査情報を選択して該「手技編集」ボタンを操作することにより、前記ＩＤ入力画面での検査情報での手技の編集を可能とする手技詳細画面が表示されることを特徴とするＸ線撮影装置の画像表示方法。
【請求項６】
請求項５において、
前記手技詳細画面は、
各種の部位の表示欄が選択操作可能に表示される部位の一覧と、
該部位の一覧で選択された部位に対する各種の手技の表示欄が選択操作可能に表示される手技の一覧と
を含み、該手技の一覧から所望とする手技の表示欄を選択操作することにより、前記ＩＤ入力画面での選択された前記検査情報の手技を変更可能としたことを特徴とするＸ線撮影装置の画像表示方法。
【請求項７】
請求項５または６において、
前記手技詳細画面には、前記撮影装置本体での設定された撮影条件を示す表示領域が操作可能に表示されており、該撮影条件を示す表示エリアを操作することにより、該撮影条件を変更するための撮影条件変更画面が表示されることを特徴とするＸ線撮影装置の画像表示方法。
【請求項８】
請求項１において、
前記予約登録確認画面に「患者追加」ボタンが設けられており、
該「患者追加」ボタンを操作することにより、予約を追加する患者に対して、患者関連情報を入力するための患者関連情報表示エリアと検査情報を入力するための検査関連情報表示欄とが設けられた新規登録画面が表示されることを特徴とするＸ線撮影装置の画像表示方法。
【請求項９】
請求項８において、
前記新規登録画面の前記検査関連情報表示エリアでは、前記予約を追加する患者の患者情報の各項目が入力欄と検査情報の入力欄とが操作可能に設けられ、該入力欄の選択により、選択された入力欄への情報の入力のための画面が表示されることを特徴とするＸ線撮影装置の画像表示方法。
【請求項１０】
請求項１において、
前記予約登録確認画面には、「撮影画面」ボタンが操作可能に設けられており、
前記検査の一覧で所定の検査情報を選択して該「撮影画面」ボタンを操作することにより、選択された該検査情報の患者の患者関連情報の表示エリアと、前記日付指定手段で表示される検査日を予約日とする検査情報の表示エリアと、前記撮影装置本体から取得した該患者のＸ線撮影画像を表示する撮影画面表示エリアとからなる撮影画面が表示されることを特徴とするＸ線撮影装置の画像表示方法。
【請求項１１】
請求項１０において、
前記撮影画面は、前記撮影画面表示エリアに表示される前記Ｘ線撮影画面の画質や表示形態を調整する画面を表示させるための操作ボタンと、次にＸ線撮影を行なう検査情報に対する手技を編集するための画面を表示させるための「手技編集」ボタンと、過去のＸ線撮影結果のデータを選択表示させる画面を表示させるための「過去画像」ボタンとを備えたことを特徴とするＸ線撮影装置の画像表示方法。
【請求項１２】
請求項１において、
前記予約登録確認画面は、予約リストまたは検査リストと患者リストの画面を表示させるための撮影タブと表示タブとを表示したことを特徴とするＸ線撮影装置の画像表示方法。
【請求項１３】
請求項１２において、
前記検査リストの画面は、過去のＸ線撮影の結果を、検査情報として、一覧で表示したものであって、
該各検査情報の表示欄は操作可能に表示され、所定の検査情報の該表示欄の操作により、該所定の検査情報の詳細である患者関連情報，検査の手技，Ｘ線撮影画面を表示した撮影結果表示画面を表示させることを特徴とするＸ線撮影装置の画像表示方法。
【請求項１４】
請求項１２において、
前記患者リストは、過去のＸ線撮影をした患者の患者情報の一覧を表示したものであって、
所定の患者情報の表示欄を選択操作することにより、該患者の過去の検査情報を表示することを特徴とするＸ線撮影装置の画像表示方法。
【請求項１５】
請求項１において、
前記予約登録確認画面は、緊急予約の患者に対し、患者情報と検査情報とを入力するための緊急ＩＤ入力画面を表示させる「緊急撮影画面」ボタンを備えていることを特徴とするＸ線撮影装置の画像表示方法。
【発明の詳細な説明】
【技術分野】
【０００１】
本発明は、Ｘ線撮影装置の操作などのための画像表示方法に関する。
【背景技術】
【０００２】
Ｘ線撮影装置は、図３１に示すように、Ｘ線撮影の対象となる人（以下、患者という）のＸ線撮影を行なう撮影装置本体Ａとその操作卓Ｂとからなり、撮影装置本体Ａは撮影室に、操作卓Ｂは操作室に夫々設置されている。
【０００３】
医師は、診断の結果、患者のＸ線撮影が必要となった場合には、患者の氏名やＩＤなどの患者情報とともに、Ｘ線撮影の対象となる部位や撮影方向，撮影方法といった撮影条件をＸ線撮影の技師（Ｘ線技師）に書面Ｃでもって予約する。Ｘ線技師は、医師からのＸ線撮影の予約が書面Ｃでもって行なわれると、患者を確認し、この書面Ｃをもとに、操作卓Ｂを操作してこの予約患者の患者データや撮影条件が入力される。そして、撮影装置本体Ａで、この入力された撮影条件に基づいて、Ｘ線管の駆動条件や手技（患者の撮影対象となる部位やその部位を撮影するためのＸ線撮影装置の姿勢やＸ線の強さなど）などが設定され、患者の姿勢を矯正して指定された部位のＸ線撮影が行なわれる。このＸ線撮影の結果（撮影画像データ）の確認が操作卓Ｂで行なわれ、また、必要に応じて画像処理がなされて、医師が患者を診断するときに使用できるように、この撮影画像データが管理される（例えば、特許文献１参照）。
【特許文献１】特開２０００ー１６６９０８
【発明の開示】
【発明が解決しようとする課題】
【０００４】
ところで、従来のＸ線撮影では、上記の手順を進める毎に作業者（Ｘ線技師）は撮影室と操作室との間を行き来しており、作業に手間と時間がかかるものであった。
【０００５】
また、Ｘ線撮影の結果得られた撮影画像データは、操作卓で表示されて確認され、また、必要に応じて画像処理された後、管理されるのであるが、この管理は、撮影条件などともに、番号や記号を用いて管理される。つまり、かかる番号や記号は患者に応じたものであり、かかる番号や記号を介して撮影画像データや撮影条件などが患者の名前にリンクされることにより、これら撮影画像データや撮影条件などの情報が管理される。
【０００６】
このため、必要なデータの検索は患者の名前をキーワードとして行なわれることになるが、撮影画像データの取り違いが生ずる可能性があるし、また、画像がどのような撮影条件や手技で撮影されたのかを瞬時に知るというようなことができなかった。
【０００７】
本発明の目的は、かかる問題を解消し、撮像条件や手技，患者データ，撮影結果のデータなどの必要なデータを相互に、かつ自動的にリンクし、これらデータを一元的に取り扱うことができ、撮影条件や手技などのＸ線撮影に必要な情報の入力や調整も簡単かつ速やかに行なうことができて、操作性を高め、操作の不慣れな技師であっても、簡単かつ正確に操作を行なうことを可能としたＸ線撮影装置の画像表示方法を提供することにある。
【課題を解決するための手段】
【０００８】
上記目的を達成するために、本発明は、患者の所定の部位にＸ線を照射して部位をＸ線撮影し、撮影した部位の撮影画像データを発生する撮影装置本体と、撮影装置本体で発生されたＸ線撮影画像データを取得し、Ｘ線撮影画像データやＸ線撮影に関するデータを表示画面に表示する操作卓とからなるＸ線撮影装置の画像表示方法であって、表示画面に、検査日を表示した日付指定手段と、日付指定手段で表示される検査日での予約された検査毎に検査情報を表示した検査の一覧とが表示した予約登録確認画面が表示され、日付指定手段と検査の一覧での検査情報夫々の表示欄とが操作可能に表示されるものである。
【０００９】
また、本発明は、日付指定手段を操作することにより、カレンダ画面が表示され、カレンダ画面では、１ヶ月毎にカレンダが表示されてカレンダの各日付の表示欄が操作可能に表示され、かつ各日付毎に予約状況を示す表示欄が設けられ、カレンダ画面での日付の指定操作により、登録確認画面での日付指定手段に表示される検査日を変更可能としたものである。
【００１０】
また、本発明は、検査の一覧でのいずれかの検査情報を操作して選択することにより、選択された検査情報の患者の患者関連情報と、患者の日付指定手段で表示されている検査日での検査情報とを表示したＩＤ入力画面が表示され、患者関連情報での各項目と検査情報との表示欄が操作可能に表示されるものである。
【００１１】
また、本発明は、ＩＤ入力画面での患者関連情報のいずれかの項目の表示欄をタッチ操作することにより、患者関連情報の編集を可能とする患者情報編集画面が表示されるものである。
【００１２】
また、本発明は、ＩＤ入力画面に「手技編集」ボタンが設けられており、ＩＤ入力画面で所望とする検査情報を選択して「手技編集」ボタンを操作することにより、ＩＤ入力画面での検査情報での手技の編集を可能とする手技詳細画面が表示されるものである。
【００１３】
また、本発明は、手技詳細画面が、各種の部位の表示欄が選択操作可能に表示される部位の一覧と、部位の一覧で選択された部位に対する各種の手技の表示欄が選択操作可能に表示される手技の一覧とを含み、手技の一覧から所望とする手技の表示欄を選択操作することにより、ＩＤ入力画面での選択された検査情報の手技を変更可能としたものである。
【００１４】
また、本発明は、手技詳細画面には、撮影装置本体での設定された撮影条件を示す表示領域が操作可能に表示されており、撮影条件を示す表示エリアを操作することにより、撮影条件を変更するための撮影条件変更画面が表示されるものである。
【００１５】
また、本発明は、予約登録確認画面に「患者追加」ボタンが設けられており、「患者追加」ボタンを操作することにより、予約を追加する患者に対して、患者関連情報を入力するための患者関連情報表示エリアと検査情報を入力するための検査関連情報表示欄とが設けられた新規登録画面が表示されるものである。
【００１６】
また、本発明は、新規登録画面の検査関連情報表示エリアでは、予約を追加する患者の患者情報の各項目が入力欄と検査情報の入力欄とが操作可能に設けられ、入力欄の選択により、選択された入力欄への情報の入力のための画面が表示されるものである。
【００１７】
また、本発明は、予約登録確認画面には、「撮影画面」ボタンが操作可能に設けられており、検査の一覧で所定の検査情報を選択して「撮影画面」ボタンを操作することにより、選択された検査情報の患者の患者関連情報の表示エリアと、日付指定手段で表示される検査日を予約日とする検査情報の表示エリアと、撮影装置本体から取得した患者のＸ線撮影画像を表示する撮影画面表示エリアとからなる撮影画面が表示されるものである。
【００１８】
また、本発明は、撮影画面は、撮影画面表示エリアに表示されるＸ線撮影画面の画質や表示形態を調整する画面を表示させるための操作ボタンと、次にＸ線撮影を行なう検査情報に対する手技を編集するための画面を表示させるための「手技編集」ボタンと、過去のＸ線撮影結果のデータを選択表示させる画面を表示させるための「過去画像」ボタンとを備えたものである。
【００１９】
また、本発明は、予約登録確認画面は、予約リストまたは検査リストと患者リストの画面を表示させるための撮影タブと表示タブとを表示したものである。
【００２０】
また、本発明は、検査リストの画面は、過去のＸ線撮影の結果を、検査情報として、一覧で表示したものであって、各検査情報の表示欄は操作可能に表示され、所定の検査情報の表示欄の操作により、所定の検査情報の詳細である患者関連情報，検査の手技，Ｘ線撮影画面を表示した撮影結果表示画面を表示させるものである。
【００２１】
また、本発明は、患者リストは、過去のＸ線撮影をした患者の患者情報の一覧を表示したものであって、所定の患者情報の表示欄を選択操作することにより、患者の過去の検査情報を表示するものである。
【００２２】
また、本発明は、予約登録確認画面が、緊急予約の患者に対し、患者情報と検査情報とを入力するための緊急ＩＤ入力画面を表示させる「緊急撮影画面」ボタンを備えているものである。
【発明の効果】
【００２３】
本発明によると、Ｘ線撮影に必要なデータや撮影結果のデータなどを相互に、かつ自動的にリンクして画面表示されるものであるから、これらデータを一元的に取り扱うことができて、操作性が高まり、簡単かつ正確に操作を行なうことが可能となる。
【発明を実施するための最良の形態】
【００２４】
以下、本発明の実施形態を図面により説明する。
【００２５】
図１は本発明を用いたＸ線装置の一具体例を示すブロック構成図であって、Ａは撮影室、Ｂは操作室、１は撮影装置本体、２は操作コンソール、３はユニバーサル撮影台、４はＸ線高電圧装置、５はＸ線撮影器、６はＸ線照射部、７はＸ線管装置、８は可変絞り装置、９はＦＰＤ（Flat Panel Detector：平面パネル検出器）、１０はアーム、１０ａは回転軸、１１は赤外線リモコン、１２は画像処理装置、１３は操作卓、１４は表示画面、１５は光ファイバである。
【００２６】
同図において、このＸ線装置は、撮影室Ａに設けられた撮影装置本体１と操作室Ｂに設けられた操作コンソール２とから構成されており、撮影装置本体１は操作コンソール２から操作され、また、撮影装置本体で撮影された被写体の画像データなどが操作コンソール２で確認できるようにしている。
【００２７】
撮影装置本体１は、Ｘ線高電圧装置４やユニバーサル撮影台３，Ｘ線撮影器５などを備えている。Ｘ線撮影器５は、Ｘ線管装置７や可変絞り装置８を備えたＸ線照射部６とＦＰＤ（平面パネル検出器）９とからなるものであって、ユニバーサル撮影台３は、コ字状をなすアーム１０によってこのＸ線撮影器５を支持している。即ち、このアーム１０の一方の端部にＸ線照射部６が、他方の端部にＦＰＤ９が夫々取り付けられており、このアーム１０がその中心部に設けられている回転軸１０ａによってユニバーサル撮影台３に取り付けられている。
【００２８】
Ｘ線照射部６のＸ線照射口とＦＰＤ９とは互いに対向しており、Ｘ線照射部６とＦＰＤ９との間に撮影対象である患者を置いて、Ｘ線管装置７から発射されて可動絞り装置８で絞られたＸ線がこの患者に照射され、この患者を透過したＸ線がＦＰＤ９で受けられることにより、この患者の透視画像、即ち、患者画像が得られる。この患者画像Ｐのデータは、光データとして、光ファイバ１５を通して操作コンソール２に送られる。
【００２９】
ユニバーサル撮影台３が回転軸１０ａを回動させることにより、この回転軸１０ａを中心としてアーム１０が回動し、Ｘ線照射部６のＸ線照射口とＦＰＤ９の中心点とを結ぶ直線の向きを替えることができる。従って、患者の姿勢に応じて、あるいはこの患者の撮影する部位に応じてＸ線照射部６からのＸ線照射を、下側から上向きに、水平方向に、あるいは上側から下向きにといったように、適宜替えることができる。このようなユニバーサル撮影台によるＸ線撮影器５の向きを替える動作は、操作コンソール２からの情報（設定情報）Ｓ１によって行なわれる。このような設定は、赤外線リモコン１１によっても行なうことができる。この赤外線リモコン１１からの赤外線よる設定情報はセンサ（図示せず）によって受信され、ユニバーサル撮影台３に送られる。
【００３０】
また、Ｘ線高電圧装置４はＸ線撮影器５を駆動するための高電圧を発生させるものである。操作コンソール２から設定情報Ｓ２や照射指令Ｃが送られると、このＸ線高電圧装置４が設定情報Ｓ２に応じた状態に設定されて駆動され、高電圧を発生してユニバーサル撮影台３からＸ線撮影器５のＸ線管装置６に印加する。これにより、Ｘ線管装置６からＸ線が発射される。なお、Ｘ線撮影器５の可動絞り装置８は、操作コンソール２からの設定情報Ｓ１によって状態が設定され、患者の透視画像が鮮明に得られるように、Ｘ線管装置６から発射されるＸ線の絞りや患者でのＸ線の照射範囲（照射野サイズ）などを決める。
【００３１】
操作コンソール２は、図示しない画像処理部や記憶装置，制御部などを備えた画像処理装置１２と、タッチパネル式の表示画面１４などを備えた操作卓１３などで構成されている。操作卓１３は、撮影装置本体１の操作や操作装置本体１のＸ線撮影器５で撮影された患者のＸ線撮影画像の表示、患者などに関する情報の登録、登録情報の確認などのためのものである。撮影装置本体１の操作画面や登録画面は画像処理装置１２での記憶装置（図示せず）に記憶されており、かかる画面を操作卓１３の表示画面１４に表示し、操作者が操作することにより、画像処理装置１２の制御部（図示せず）で設定情報Ｓ１，Ｓ２や照射指令Ｃが作成され、また、患者などの情報の登録を行なうことができるし、登録情報を表示画面１４に表示してその確認を行なうことができる。
【００３２】
また、Ｘ線撮影器５のＦＰＤ９で得られた患者画像Ｐは、上記のように、光データとして画像処理装置１２に供給され、受光されたこの患者画像は画像処理部（図示せず）で所定の処理がなされた後、記憶装置に記憶される。この記憶された患者画像は、操作卓１３の表示画面１４での操作により、画像処理装置１２の記憶装置から読み出して表示画面１４に表示させることができる。
【００３３】
このようにして、操作者が操作コンソール２での操作卓１３を操作することにより（設定情報Ｓ１，Ｓ２や照射指令Ｃ）、撮影装置本体１を制御して患者の所定部位の撮影を行なわせることができるし、また、この撮影装置本体１で撮影する患者に関する情報（撮影対象となる部位や撮影スケジュール，撮影予約情報など）の登録，その確認などを行なうことができるし、さらには、撮影した患者画像を表示して撮影状態の確認などを行なうことができる。
【００３４】
図２は図１における各部の間での情報の流れを示す図であって、図１に対応する部分には同一符号を付けている。
【００３５】
同図において、撮影前に画像処理装置１２からＸ線高電圧装置４に、撮影条件、即ち、Ｘ線管装置７の管電圧や感電流，印加時間（Ｘ線管装置７のＸ線放射時間）、自動露出の有無，フィールドなどを設定する情報が、設定情報Ｓ２として、供給される。これにより、Ｘ線高電圧装置４は、かかる撮像条件に設定された状態となる。かかる撮影条件が設定されると、画像処理装置１２からＸ線高電圧装置４に、照射指令Ｃとして、撮影Ready信号が供給され、Ｘ線高電圧装置４は、これに応答して、画像処理装置１２に撮影開始信号を送る。そして、画像処理装置１２から、照射指令Ｃとして、X-ray on信号が送られると、Ｘ線高電圧装置４は、この設定された撮影条件に応じて駆動電圧を発生し、Ｘ線管装置７を駆動してＸ線を発生させる。これにより、患者のＸ線撮影が行なわれる。このとき、Ｘ線高電圧装置４から画像処理装置１２にX-ray on（rtn）を送ってＸ線を発射させたこと、つまり、撮影が行なわれたことを知らせる。ＦＰＤ９で得られたＸ線撮影画像は、患者画像として、光データで画像処理装置１２に供給される。
【００３６】
また、撮影前に画像処理装置１２からユニバーサル撮影台３に、設定情報Ｓ１として、撮影部位情報と患者情報（患者ＩＤや氏名など）が送られる。ここで、撮影部位情報は、患者の撮影対象となる部位やアーム角度情報，ＳＩＤ（Source Image Distance：線源受像面間距離），照射野サイズ，付加フィルタなどである。この撮影部位情報やアーム角度情報により、アーム１０（図１）の角度（即ち、上記のＸ線照射方向）が設定され、照射野サイズ，付加フィルタなどの情報により、可動絞り装置８の状態が設定されて照射野サイズ２付加フィルタが決められ、絞りランブが点灯する。
【００３７】
このように、撮影部位情報によってアーム１０や可動絞り装置８の状態が設定され、画像処理装置１２からの撮影Ready信号やX-ray on信号により、Ｘ線高電圧装置４から高電圧が発生されてＸ線管装置７が駆動され、患者の指定された部位の撮影が行なわれる。そして、Ｘ線高電圧装置４は、この撮影が行なわれたときの設定条件、即ち、撮影実施条件を画像処理装置１２に送るが、設定された撮影条件で動作できなかった場合（撮影実施条件が撮影条件と異なる場合）には、エラー情報を発生して画像処理装置１２に送る。また、可動絞り装置８は、撮影したときの照射野サイズや付加フィルタの結果をユニバーサル撮影台３に送り、ユニバーサル撮影台３はかかる結果から可動絞り装置の撮影時の状態が撮影部位情報で指定される条件に適合しているか否かを判定し、エラーがあれば、エラー情報を画像処理装置１２に送る。
【００３８】
また、赤外線リモコン１１から照射野サイズ，付加フィルタ，絞りランプの点灯情報をユニバーサル撮影台３に送ることにより、同様にして、アーム１０（図１）や可動絞り装置８の状態を設定することができるし、また、撮像台移動情報を送ることにより、アーム１０を移動させることもできる。
【００３９】
次に、図１及び図２に示すＸ線装置の動作をもとに、図１における操作卓１３での本発明によるＸ線装置の画像表示方法の一実施形態について説明する。
【００４０】
図３は図１における操作卓１３での初期操作に伴う画像表示の流れを示すフローチャートである。
【００４１】
同図において、Ｘ線装置に電源が投入されると（ステップＳ１）、操作卓１３の表示画面１４に初期画面が表示され（ステップＳ２）、所定の時間経過後、自動的にログイン画面に表示が移る（ステップＳ３）。
【００４２】
図４はログイン画面２０の一具体例を示す図であって、このログイン画面２０には、名前入力欄２１とパスワード入力欄２２とキーボード２３と配列／文字種選択エリア２４と操作エリア２５と「ＯＫ」ボタン２６と「クリア」ボタン２７とを備えている。
【００４３】
名前入力欄２１は、このＸ線装置を操作する操作者、即ち、Ｘ線技師の名前を入力するためのものであり、パスワード入力欄２２はこのＸ線技師に割り当てられたパスワードを入力するためのものである。このログイン画面２０が表示し始めた最初（初期状態）では、白抜きで示すように、名前入力欄２１が入力可能状態となっており、これにこれからこのＸ線装置を使用しようとするＸ線技師自身の名前を入力して、操作エリア２５の「決定（Enter）」キー２５ｅを、後述するように、操作することにより、次のパスワード入力欄２２での入力が可能となる。即ち、「決定」キー２５ｅのかかる操作毎に交互に名前入力欄２１とパスワード入力欄２２とが入力可能となる。
【００４４】
名前入力欄２１やパスワード入力欄２２の入力は、キーボード２３を操作することによって行なうことができる。ここで、キーボード２３では、配列／文字種選択エリア２４での操作により、キー配列を選択することができる。即ち、配列／文字種選択エリア２４には、キーボード２３でのキー配列をパソコンと同様のアルファベットのQwerty配列に指定できる配列選択ボタン２４ａ１と、アルファベットのABC配列に指定できる配列選択ボタン２４ａ２と、文字「あ，い，う，……」についてJIS配列に指定できる配列選択ボタン２４ａ３と、同じく文字「あ，い，う，……」について５０音配列に指定できる配列選択ボタン２４ａ４とが設けられており、また、名前入力欄２１に対し、平仮名入力ができるようにする文字種選択ボタン２４ｂ１と、片仮名入力ができるようにする文字種選択ボタン２４ｂ２と、アルファベットの大文字入力ができるようにする文字種選択ボタン２４ｂ３と、同じく小文字入力ができるようにする文字種選択ボタン２４ｂ４とが設けられている。そして、文字種選択ボタン２４ｂ２〜２４ｂ４が選択された場合に半角と全角の選択ができるようにした全／半角選択ボタン２４ｃも設けられている。これにより、キーボード２３でのキー配列について、アルファベットのQwerty配列，ABC配列と文字「あ，い，う，……」のJIS配列，５０音配列の４通りのうちのいずれかを選択することができるし、文字入力も平仮名，片仮名，大文字，小文字のいずれかの入力が可能であり、片仮名や大文字，小文字の入力の場合には、全角，半角の選択もできる。ここでは、キーボード２３のキー配列がアルファベットのQwerty配列で表示され、平仮名入力が選択されている場合を示している。
【００４５】
なお、以下では、操作可能なボタンやキーは、その右辺や下辺に影を表わすことによって示している。以下では、かかるボタンやキー、あるいは表示欄を操作可能な状態にあるという。また、操作されたボタンは、白黒反転した白抜き表示で示している。
【００４６】
操作エリア２５には、キーボード２３の操作によって名前入力欄２１に入力された文字列を漢字などに変換するための「変換」キー２５ａと、余白を入力するための「余白」キー２５ｂと（なお、キーボード２３にも、「余白」キーが設けられている）、名前入力欄２１やパスワード入力欄２２に入力した文字列を後ろから１文字ずつ削除するための「削除」キー２５ｃと、名前入力欄２１やパスワード入力欄２２での文字入力位置を左方向に移動させるための「移動」キー２５ｄ１と、同様に右方向に移動させるための「移動」キー２５ｄ２と、上記の「決定（Enter）」キー２５ｅとが設けられている。
【００４７】
「ＯＫ」キー２６は、名前入力欄２１とパスワード入力欄２２との入力情報に誤りがなく、次の操作に進むときに操作するものであり、「クリア」キー２７はこのログイン画面２０での操作を全てキャンセルするためのものである。この「クリア」キー２７が操作されると、名前入力欄２１とパスワード入力欄２２とに全く入力がなされていない状態に戻る。
【００４８】
ここで、先ず、キーボード２３の操作による名前入力欄２１への入力が終了し、変換キー２５ａを操作して名前を漢字表記に変換する。この入力された名前は画像処理装置１２（図１）の記憶装置に記憶されて登録されている名前に該当するか否かの照合が行なわれ、登録されている名前でないとき（入力が誤りの場合も含む）、これが名前入力欄２１に表示されて再入力が促される。
【００４９】
入力した名前に誤りがないことを確認して「決定」キー２５ｅを操作すると、この入力された名前が決定する。そして、再度この「決定」キー２５ｅを操作すると、パスワード入力欄２２への文字入力が可能となる。そこで、キーボード２３を操作してパスワードを入力すると、画像処理装置１２（図１）では、このパスワードについても、記憶装置に記憶されて登録されているパスワードに該当するものかどうか、さらに、入力欄２１に入力された名前に対応しているかどうかの照合が行なわれ、これらを満足しない場合には、このことがパスワード入力欄２２に表示されてパスワードの再入力が促される。
【００５０】
入力したパスワードに誤りがないときには（この場合、パスワードの各入力文字はマーク「＊」で表わされる）、「決定」キー２５ｅを操作することにより、このパスワードを決定し、「ＯＫ」ボタンが操作されると、図５に一具体例として示す予約登録確認画面３０が表示される（図３のステップＳ４）。
【００５１】
なお、これらの名前やパスワードは、夫々の入力欄をタッチ操作することにより、このタッチ操作された入力欄への入力を可能な状態とすることができる。
【００５２】
この予約登録確認画面３０は、Ｘ線撮影日毎の撮影予定の患者の確認や図１における各部の状態を確認できるようにしたものであり、患者のリストを「撮影」タブ３７で表示する。また、各部の状態を表示するために、撮影装置本体１の状態を示す状態表示エリア３１と、Ｘ線高電圧装置４の設定情報を示す状態表示エリア３２と、操作卓１３の状態（ハードディスクやプリンタの使用状態やデータ転送状態など）を示す状態表示エリア３３と、可動絞り装置８の設定情報を示す状態表示エリア３４とが設けられている。
【００５３】
なお、後述する「表示」タブ３８も設けられており、「撮影」タブ３７と「表示」タブ３８とを適宜選択できるが、この予約登録確認画面３０が表示開始されたときには、デフォルトとして、「撮影」タブ３７の内容が表示される。
【００５４】
また、この予約登録確認画面３０では、今日の日付を表す日付欄３５が設けられているとともに、後述する「緊急撮影画面選択」ボタン３６や「患者追加」ボタン４８，「撮影画面」ボタン４９が操作可能な状態で設けられている。
【００５５】
「撮影」タブ３７では、撮影日（検査日）を表示した「日付」ボタン３９と、この「日付」ボタン３９に表示される撮影日（検査日）を週及び月単位で過去に遡るように変更させるための「日付変更」キー４０ａと、日単位で過去に遡るように変更させるための「日付変更」キー４０ｂと、同様に「日付」ボタン３９に表示される撮影日（検査日）を週及び月単位で将来に変更させるための「日付変更」キー４１ａと、日単位で将来に変更させるための「日付変更」キー４１ｂとが操作可能に表示され、この「日付」ボタン３９に表示される撮影日での検査予約数を表示した予約数表示欄４２が設けられている。そして、この「日付」ボタン３９に表示される撮影日での検査の一覧４３が表示されている。
【００５６】
この検査の一覧４３では、各検査情報４４が「検査番号（Ｎ0）」４３ａ，患者の「ＩＤ（識別符号）」４３ｂ，患者の「名前」４３ｃ，患者の「年齢」４３ｄ，患者の「性別」４３ｅ，「手技（撮影対象となる部位と撮影の仕方）」４３ｆ，撮影の「状態」４３ｇとの各項目で表わされる。
【００５７】
このように、検査情報４４は、患者の名前ばかりでなく、患者のＩＤも含むものであって、これら患者の名前とＩＤとで管理される。ここで、患者の名前よりも患者のＩＤの方が優先度が高く、検査情報４４を確認するときには、患者のＩＤで確認することができる。これにより、同姓同名の患者が居ても、検査情報４４を取り違えることがない。
【００５８】
また、この検査の一覧４３では、各検査情報４４を表示するものであるから、同じ患者が同じ日に同じＸ線技師により、例えば、異なる部位について、撮影を行なう場合には、夫々の部位の撮影が異なる検査となるので、夫々毎の検査情報４４が別々に検査の一覧４３に表示されることになる。患者の「ＩＤ」４３ｂの項目が「15006878164」の男性の患者「○○○○」について、項目「検査番号」４３ａが「25673689」と「96835801473」の検査が表示されているのは、かかる例を示すものである。なお、各検査情報４４の表示欄は、操作可能に表示されている。
【００５９】
項目「手技」４３ｆは、図６に示すように、頭部，胸部，骨盤，下肢，頚部，腹部，上肢毎に区分され、さらに、これら各区分毎に頭蓋や腰椎などといった部位とＰＡ，ＬＡＴといった患者の撮影時の向きとの組み合わせで表わされる。また、項目「状態」４３ｇは、検査の状態を表わすものであって、まだ行なわれていない検査情報４４に対しては、「未」と表示され、検査が中断している場合には、「途中」と表示される。なお、終了した検査は、この検査の一覧４３から削除される。
【００６０】
また、検査の一覧４３の各検査情報４４毎に、予約内容を変更するための「予約編集」ボタン４５と、検査情報４４の予約をキャンセルするための「キャンセル」ボタン４６とが操作可能に設けられている。「キャンセル」ボタン４６がタッチ操作されると、該当する検査情報４４が検査の一覧４３から削除される。
【００６１】
なお、「撮影」タブ３７で表示される検査の一覧４３の量（検査情報４４の個数）は限られているので、スクロールバー４７を操作することにより、検査の一覧４３を上下にスクロールできるようにしており、これにより、表示されていない検査情報４４も表示させることができる。
【００６２】
「患者追加」ボタン４８は、後述するように、「日付」ボタン３９に表示されている日に行なわれる検査（患者）を追加するためのものであり、また、「撮影画面」ボタン４９は、後述するように、検査の一覧４３で表示される検査情報４４に関する撮影画面を表示させるためのものである。
【００６３】
以上のように、予約登録確認画面３０では、図１に示すＸ線装置の各部の状態の確認や「撮影」タブ３７が選択されることにより各撮影日での予約検査の確認ができ、また、ボタン操作を行なうことにより、次の操作へと進むことができる。以上が図３でのステップＳ４である。
【００６４】
以下、予約登録確認画面３０で選択される操作を順に説明する。
【００６５】
この予約登録確認画面３０において、「撮影」タブ３７での「日付変更」キー４０，４１をタッチ操作することにより、「日付」ボタン３９に表示される撮影日を変更することができ、これに伴って検査の一覧４３もこの「日付」ボタン３９に表示される撮影日のものとなるが、「日付」ボタン３９を用いることによっても、検査日を変更させることができる。
【００６６】
予約登録確認画面３０で「日付」ボタン３９がタッチ操作されると（図３のステップＳ５）、図７に一具体例を示すカレンダ画面５０が表示される。このカレンダ画面５０は、図５に示す予約登録確認画面３０と同様の状態表示エリア３１〜３４とともに、カレンダ５１が表示される。このカレンダ５１での各「日」を表わす表示エリア５１ａは、夫々操作可能となっている。
【００６７】
このカレンダ５１は、これの表示始めでは、予約登録確認画面３０の「撮影」タブ３７での「日付」ボタン３９（図５）に表示される「年，月」のものであって、この「日付」ボタン３９に表示される「日」の表示エリア５１ａに枠状のカーソル５１ｃが付されている。即ち、このカーソル５１ｃが付された年月日が予約登録確認画面３０で指定されている年月日であり、「日付」ボタン３９に表示される年月日である。また、夫々の「日」の表示エリア５１ａには、その日での検査（Ｘ線撮影）の予約状況を示す予約状況表示欄５１ｂが設けられ、日毎の予約状況が一目で分かるようにしている。
【００６８】
このカレンダ５１では、希望する「日」をタッチ操作することにより、この希望日が指定されたことになる。このタッチ操作により、図５に示す予約登録確認画面３０に戻るが（図３のステップＳ６）、このときには、「撮影」タブ３７の「日付」ボタン３９にこの指定された日付（年月日）が表示され、また、検査の一覧４３はこの指定された年月日にこのＸ線技師が撮影する検査情報４４の一覧を表示したものとなる。
【００６９】
また、図７に示すカレンダ画面５０において、異なる月の撮影日を指定したい場合には、「前の月へ」ボタン５２又は「次の月へ」ボタン５３をタッチ操作すればよい。「前の月へ」ボタン５２を操作する場合には、その操作毎に一月単位でカレンダ５１が前の月に戻っていき、「次の月へ」ボタン５３を操作する場合には、その操作毎に一月単位でカレンダ５１が後の月に移っていく。
【００７０】
なお、「閉じる」ボタン５４をタッチ操作すると、カレンダ画面５０が閉じ、図５に示す予約登録確認画面３０に戻る（図３のステップＳ６）。このときには、「日付」ボタン３９に表示される日付（検査日）は元のままである。
【００７１】
この予約登録確認画面３０において、Ｘ線技師によるＸ線検査の対象となる患者の情報を確認し、必要に応じて修正などの編集を行なうようにすることができる。
【００７２】
この場合には、予約登録確認画面３０の「撮影」タブ３７での検査の一覧４３で、所望とする検査情報４４を、その「予約編集」ボタン４５をタッチ操作して、指定すると（図３のステップＳ４での「編集」）、この指定された検査情報４４を受ける患者に関して、図８に一具体例として示すＩＤ入力画面６０が表示される（図３のステップＳ７）。
【００７３】
このＩＤ入力画面６０では、図５に示す予約登録確認画面３０と同様の状態表示エリア３１〜３４とともに、患者関連情報表示エリア６１と検査関連情報表示エリア６２とが設けられている。患者関連情報表示エリア６１には、患者関連情報として、患者のＩＤや名前，年齢などの患者自身を表わすメイン情報６１ａとこの患者の関連診察部署や医師などを表わすサブ情報６１ｂとが夫々操作可能に表示される。検査関連情報表示エリア６２には、この患者の予約された検査の情報（検査情報）６２ａが操作可能に表示され、また、撮影（検査）の「予約枚数／撮影済み枚数」欄６２ｂとが表示される。また、検査関連情報表示エリア６２には、「手技編集」ボタン６２ｃが操作可能に設けられており、検査情報６２ａのいずれかを編集できるようにしている。
【００７４】
このように、ＩＤ入力画面６０では、患者関連情報と検査関連情報（特に、手技）が同時に表示されるものであり、これにより、患者の検査の内容を確認することが容易となる。
【００７５】
さらに、このＩＤ入力画面６０には、「ＯＫ」ボタン６３，「キャンセル」ボタン６４，「新規」ボタン６５及び「撮影画面」ボタン６６が操作可能に設けられている。
【００７６】
患者関連情報表示エリア６１でのメイン情報６１ａやサブ情報６１ｂの表示欄は操作ボタンとなっており、これを操作することにより、これらメイン情報６１ａやサブ情報６１ｂの編集ができるようにしている。
【００７７】
いま、例えば、メイン情報６１ａである「名前」あるいはそのふり仮名である「ナマエ」の表示欄をタッチ操作すると、図９に一具体例として示すように、患者の名前を編集するための患者情報編集画面７０が表示される（図３のステップＳ８）。なお、図９では、前出図面に示す部分と同一機能のものには、同一符号をつけている。
【００７８】
この患者情報編集画面７０には、メイン情報表示エリア７１が表示され、これとともに、図４に示すログイン画面２０と同様の機能を有するキーボード２３と配列／文字種選択エリア２４と操作エリア２５と、図８に示すＩＤ入力画面６０と同様の機能を有する「ＯＫ」ボタン６３と「キャンセル」ボタン６４とからなる操作部が設けられている。ここで、メイン情報表示エリア７１のうちの入力可能なメイン情報は「名前」と「ナマエ」であり、このため、これらの表示部分は操作可能となっている。
【００７９】
この場合には、ＩＤ入力画面６０の患者関連情報表示エリア６１で「名前」や「ナマエ」というメイン情報６１ａが指定されたのであるから、患者情報編集画面７０が表示されてその「名前」あるいは「ナマエ」の表示欄７１ａで患者の名前あるいはその振り仮名の入力が可能な状態となっており（ここでは、「名前」の表示欄７１ａが指定されたものとする）、白黒反転の白抜き表示で、かつ影が除かれた操作不能状態で表示されて、キーボード２３の操作によって患者の名前の編集（入力）が可能となっていることを示している。この編集（入力による訂正など）は、図４に示すログイン画面２０と同様、キーボード２３や配列／文字種選択エリア２４と操作エリア２５の操作によって行なうことができる。そして、「決定（Enter）」キー２５ｅをタッチ操作することにより、この編集（名前の入力）が決定し、次いで、「ＯＫ」ボタン６３をタッチ操作すると、患者関連情報表示エリア６１でメイン情報６１ａである「名前」が修正されたＩＤ入力画面６０（図８）の表示に戻り、また、「キャンセル」ボタン６４をタッチ操作すると、患者情報編集画面７０での編集内容がキャンセルされて、編集されない元の内容のＩＤ入力画面６０に戻ることになる（図３のステップ９）。
【００８０】
ＩＤ入力画面６０の患者関連情報表示エリア６１でメイン情報「ナマエ」が指定されたときも、図９と同様の名前のふり仮名を入力するのに適した患者情報編集画面が表示され、名前の場合と同様にして、「ナマエ」の表示欄にふり仮名を入力することができる。なや、図９に示す患者情報編集画面７０において、「名前」の表示欄７１ａに入力し、「決定（Enter）」キー２５ｅをタッチ操作してこの入力を決定し、さらに、もう一度この「決定（Enter）」キー２５ｅをタッチ操作すると、次の表示欄の「ナマエ」が入力可能な状態となり、これに応じて、その入力のための操作部も、この「ナマエ」の入力に適した操作部となる。但し、ここでは、「ナマエ」に対する操作部は「名前」に対する操作部と同様のものとしており、従って、「ナマエ」に対しても、図９と同様の操作部が表示されることになる。
【００８１】
また、このＩＤ入力画面６０の患者関連情報表示エリア６１で、例えば、メイン情報６１ａである「生年月日」の表示欄をタッチ操作すると、図１０に一具体例として示す患者の生年月日や年齢，性別などを入力するための患者情報編集画面８０が表示される（図３のステップＳ１０）。この患者情報編集画面８０には、図８に示すＩＤ入力画面６０でのメイン情報６１ａと同じ情報が表示されるメイン情報表示エリア８１が設けられ、これとともに、生年月日や性別を入力するのに適合した２つの操作部８２，８３が設けられている。この操作部８２では、数字を指定するためのテンキー８２ｂと西暦や明治，大正，昭和，平成といった年号を指定するための「年号指定」ボタン８２ａと性別を指定するための「男」ボタン８２ｃ，「女」ボタン８２ｄと「その他」ボタン８２ｅとが操作可能に設けられている。また、操作部８３では、図４に示すログイン画面２０の操作エリア２５と同様の機能の「削除」キー８３ａ，「移動」キー８３ｂ，「移動」キー８３ｃ，「決定（Enter）」キー８３ｄが操作可能に設けられている。さらに、図８に示すＩＤ入力画面６０と同様の機能を持つ「ＯＫ」ボタン６３と「キャンセル」ボタン６４とが操作可能に設けられている。
【００８２】
ここで、図８に示すＩＤ入力画面６０の患者関連情報表示エリア６１で「生年月日」というメイン情報６１ａが指定されたのであるから、患者情報編集画面８０が表示されてそのメイン情報表示エリア７１での「生年月日」の表示欄８１ａで生年月日（年号と年月日）が入力可能となっており、即ち、患者の生年月日の編集が可能となっている。この編集（訂正など）は、操作部８２において、「年号指定」ボタン８２ａのいずれか該当するものをタッチ操作することにより、「生年月日」の表示欄８１ａにおいて、年号が入力され、テンキー８２ｂをタッチ操作することにより、その年号での年月日が入力される。また、検査番号Ｎｏや患者ＩＤも入力可能であり、さらに、「男」ボタン８２ｃ，「女」ボタン８２ｄをタッチ操作することにより、性別の表示欄８２ａの修正も可能である。
【００８３】
また、かかるメイン情報の入力操作時、操作部８３での「削除」キー８３ａや「移動」キー８３ｂ，８３ｃをタッチ操作することにより、誤入力などを訂正できる。また、「決定（Enter）」キー８３ｄをタッチ操作すると、「生年月日」の表示欄８１ａでの入力が確定し、再度「決定（Enter）」キー８３ｄをタッチ操作すると、「性別」の表示欄８１ｂでの入力が可能な状態となる。以下、同様にして、検査Ｎｏも患者ＩＤも編集可能とすることができる。また、「生年月日」の表示欄８１ａでは、入力をせずに２度「決定（Enter）」キー８３ｄをタッチ操作すると、「性別」の表示欄８１ｂが入力可能な状態となり、これに「男」ボタン８２ｃもしくは「女」ボタン８２ｄを操作して性別を入力し、「決定（Enter）」キー８３ｄを再度１回だけタッチ操作することにより、性別だけを編集することもできる。同様にして、検査Ｎｏ，患者ＩＤ，生年月日，性別のいずれか必要のもののみを編集することができる。なお、図８に示すＩＤ入力画面の患者関連情報表示エリア６１での「年齢」は、「生年月日」によって自動的に決められる。
【００８４】
そして、「生年月日」の表示欄８１ａと「性別」の表示欄８１ｂとのいずれか一方、もしくは両方の入力を確定し（「決定（Enter）」キー８３ｄをタッチ操作）、「ＯＫ」ボタン６３をタッチ操作すると、入力された生年月日や性別の修正が行なわれ、図８に示すＩＤ入力画面６０に戻る（図３のステップＳ１１）。また、「生年月日」の表示欄８１ａと「性別」の表示欄８１ｂとのいずれか一方、もしくは両方で入力が行なわれ、あるいはまた、いずれでも入力が行なわれずに「キャンセル」ボタン６４がタッチ操作されると、生年月日，性別のいずれも修正されずに、図８に示すＩＤ入力画面６０に戻る（図３のステップＳ１１）。
【００８５】
図８に示すＩＤ入力画面６０の患者関連情報表示エリア６１で検査番号「Ｎｏ」や患者の「ＩＤ」を指定した場合も、これらの表示欄が入力可能な状態の図１０と同様の患者編集画面が表示される。但し、この場合には、図１０の操作部８２において、テンキーのみが表示される。
【００８６】
なお、図９に示す患者情報編集画面７０においても、また、図１０に示す患者情報編集画面８０においても、上記のように、「決定（Enter）」キー２５ｅ，８３ｄを繰り返しタッチ操作することにより、表示される患者情報の表示欄を順に入力可能な状態にすることができる。従って、図９に示す患者情報編集画面７０において、「決定（Enter）」キー２５ｅのかかる操作により、表示欄「名前」や「ナマエ」を指定することができるばかりでなく、検査番号「Ｎｏ」や患者の「ＩＤ」，「生年月日」，「性別」も指定することができる。勿論、これらが指定された場合には、例えば、図１０に示すように、この指定した患者情報に応じた操作部が表示されることになる。同様にして、図１０に示す患者情報編集画面８０において、「決定（Enter）」キー８３ｄの繰り返し操作により、検査番号「Ｎｏ」や患者の「ＩＤ」，「生年月日」，「性別」ばかりでなく、表示欄「名前」や「ナマエ」を指定することもできる。勿論、これらが指定された場合には、例えば、図９に示すように、この指定した患者情報に応じた操作部が表示されることになる。
【００８７】
また、図９に示す患者情報編集画面７０や図１０に示す患者情報編集画面８０において、所望の患者情報の表示欄を、タッチ操作により、直接指定することもできる。
【００８８】
このように、図９，図１０に示すような患者情報編集画面では、このとき入力画指定されている患者情報の表示欄での入力に適合した操作装置が表示されるものであり、このため、不必要な操作キーが表示されないので、操作の簡便化が図れ、入力操作を短時間で正確に行なうことを可能にする。
【００８９】
図８に示すＩＤ入力画面６０において、検査関連情報表示エリア６２における検査情報６２ａのいずれかを、編集（修正）のために、タッチ操作によって選択し、次いで「手技編集」ボタン６２ｃをタッチ操作すると、この選択された検査情報６２ａについて編集を行なうことができるようにした図１１に一具体例として示す手技詳細画面９０が表示される（図３のステップＳ１２）。
【００９０】
この手技詳細画面９０では、図５に示す予約登録確認画面３０と同様の状態表示エリア３１〜３４とともに、手技の詳細が「大人」タブ９１ａと「子供」タブ９１ｂとに区分して表示される。ここでは、先ず、「大人」タブ９１ａの内容が表示される。また、図８に示すＩＤ入力画面６０で表示されていた患者関連情報表示エリア６１と検査関連情報表示エリア６２との情報も、夫々縮小されて患者関連情報表示エリア６１’，検査関連情報表示エリア６２’として表示される。
【００９１】
この検査関連情報表示エリア６２’では、各検査情報６２ａの表示部分は、影９３が設けられて操作可能に構成しており、この場合、図８に示すＩＤ入力画面６０の検査関連情報表示エリア６２で「胸椎」の検査情報６２ａが選択されたものとすると、この「胸椎」の検査情報６２ａが、影９３が除かれて押し込まれ、かつ白抜きなどで表示されることにより、選択された状態に表示される。なお、この検査関連情報表示エリア６２’に表示される検査情報６２ａの個数は限られているが、スクロールバー９４をタッチ操作することにより、検査関連情報表示エリア６２’を上下にスクロールさせて他の検査情報６２ａを表示させることができる。
【００９２】
また、「大人」タブ９１ａでは、Ｘ線の照射対象部位の厚さ（体厚：患者の体型）に応じたＸ線照射量を修正するための「体厚補正」９２ａが表示され、また、身体の部位の一覧９２ｂとそのうちの選択された部位に対する手技の一覧９２ｃとが表示される。部位の一覧９２ｂは、図６に示す「Head（頭部）」，「Neck（頚部）」，「Chest（胸部）」，「Upper Ext．（上肢）」，「Abdomen（腹部）」，「Pelvis（骨盤）」，「Lower Ext．（下肢）」を示すものである。これらの表示部も影９３が設けられ、タッチ操作が可能なボタンの形式をなしている。
【００９３】
ここでは、検査関連情報表示エリア６２’において、「胸椎」の検査情報６２ａが選択されているので、「大人」タブ９１ａでは、部位の一覧９２ｂで「Chest（胸部）」が選択されており、手技の一覧９２ｃでは、この「Chest（胸部）」に関する全ての手技（検査）が一覧で表示される。この手技の一覧９２ｃから所望とする手技の欄をタッチ操作することにより、これを選択することができ、これにより、検査関連情報表示エリア６２’で選択される手技「胸椎」の検査情報６２ａが、一覧９２ｃで選択された手技に修正される。また、この修正された手技に対するＸ線高電圧装置４（図１）の標準的な設定情報が状態表示エリア３２に、可動絞り装置８（図１）の標準的な設定情報が状態表示エリア３４に夫々表示される。かかる設定情報は、図１２，図１３で説明したように、調整可能である。なお、手技の一覧９２ｃのうち、選択されて検査関連情報表示欄６２’で表示されている手技は、それを表示するボタンが影が除かれて押し込まれた操作不能な状態に表示される。
【００９４】
また、検査関連情報表示エリア６２’で表示（予約）される検査情報６２ａのいずれも選択しないで部位一覧９２ｂでの所定の部位を選択し、これによって表示されるこの部位に対する手技の一覧９２ｃから所望の手技をタッチ操作して選択すると、検査関連情報表示エリア６２’にこの選択された手技の検査情報６２ａが追加される。このとき、状態表示エリア３２には、この追加された検査情報６２ａに対するＸ線高電圧装置４（図１）の標準的な設定情報が状態表示エリア３２に、可動絞り装置８（図１）の標準的な設定情報が状態表示エリア３４に夫々表示される。かかる設定情報は、図１２，図１３で説明したように、調整可能である。このようにして、この手技詳細画面９０では、既に予約されている手技の修正や追加といった手技の編集を行なうことができる。
【００９５】
なお、「撮影枚数／予約枚数」の欄６２ｂでは、検査関連情報表示エリア６２’で予約されている検査（Ｘ線撮影）の既に撮影がなされた検査数（撮影枚数）と予約された全体の検査数（予約枚数）とが表示されるが、ここでは、「０／６」と表示されている。これは、当該患者について、既に６件の検査予約がなされているが、１件も撮影がなされていないことを示している。
【００９６】
このように、この手技詳細画面９０では、部位の一覧９２ｂやそのうちの選択された部位に対する手技の一覧９２ｃとが同時に表示されるので、検査の手技を確実に選んで入力することができ、検査を正確に行なうことを可能とする。また、このこの手技詳細画面９０では、Ｘ線撮影で必ず設定しなければならない体厚補正の操作エリア９２ａを、部位の一覧９２ｂや手技の一覧９２ｃの表示エリアよりも上側の「大人」タブ９１ａの最上段に設けているので、Ｘ線撮影のための作業の流れで必ず体厚補正の操作が行なわれることになり、設定忘れといったようなことを防止できる。
【００９７】
手技の一覧９２ｃで所望の手技が選択され、「ＯＫ」ボタン６３がタッチ操作されると、図８に示すＩＤ入力画面６０に戻る（図３のステップＳ１３）。このＩＤ入力画面６０では、検査関連情報表示エリア６２において、先に選択された検査情報６２ａが手技詳細画面９０（図１１）での手技の一覧９２ｃで選択された手技と入れ替り、編集されている。
【００９８】
患者が子供である場合には、「子供」タブ９１ｂを選択する。この「子供」タブ９１ｂにも、「大人」タブ９１ａと同様の子供に対する情報が設けられており、上記と同様にして、検査対象となる部位とこれに対する手技とを選択できる。
【００９９】
また、図１１に示す手技詳細画面９０において、検査関連情報表示エリア６２’内の不必要な検査情報６２ａの部分（ボタン）をタッチ操作して指定し、「削除」ボタン９５をタッチ操作すると、この指定された検査情報６２ａは、検査関連情報表示エリア６２’から削除されている。そして、「ＯＫ」ボタン６３がタッチ操作されて図８に示すＩＤ入力画面６０に戻ったときには、このＩＤ入力画面６０の検査関連情報表示エリア６２からも削除されている。また、「キャンセル」ボタン６４をタッチ操作すると、例え手技の一覧９２ｃである手技が選択されていても、図８に示すＩＤ入力画面６０に、表示内容が変わらずに戻る（図３のステップＳ１３）。
【０１００】
また、図１１に示す手技詳細画面９０では、Ｘ線高電圧装置４（図１）の設定状態を示す状態表示エリア３２と可動絞り装置８（図１）の設定状態を示す状態表示エリア３４とが操作可能な状態となっており、夫々の状態表示エリア３２，３４での設定値の表示部に操作ボタンとしての機能が付与される。
【０１０１】
状態表示エリア３２では、Ｘ線高電圧装置４によるＸ線管装置７（図１）への設定電圧を表わす領域が立体的に表示されて「電圧設定」ボタン３２ａとして機能し、設定電流を表わす領域が、同様にして、「電流設定」ボタン３２ｂとして機能し、Ｘ線の照射時間を表わす領域が、同様にして、「照射時間」ボタン３２ｃとして機能する。同様にして、状態表示エリア３２においても、可動絞り装置８の設定値を表わす夫々の領域が、同様にして、操作ボタンとして機能する。
【０１０２】
いま、状態表示エリア３２において、操作ボタン３２ａ〜３２ｃのいずれかをタッチ操作すると、図１２に一具体例として示す撮影条件設定変更画面９０Ａが表示される（図３のステップＳ１４）。この撮影条件設定変更画面９０Ａは、手技詳細画面９０に設定変更の調整部９６のウィンドウが表示されるものであり、これに電圧調整部９６ａと電流調整部９６ｂと照射時間調整部９６ｃとが操作可能に設けられ、さらに、「ＯＫ」ボタン９７ａと「キャンセル」ボタン９７ｂとが操作可能に設けられている。電圧調整部９６ａを操作することにより、Ｘ線管装置７での印加電圧を調整・変更でき、電流調整部９６ｂを操作することにより、Ｘ線管装置７での駆動電流を調整・変更でき、照射時間調整部９６ｃを操作することにより、Ｘ線管装置７によるＸ線の照射時間を調整・変更できる。かかる調整を行なった後、「ＯＫ」ボタン９７ａをタッチ操作すると、図１１に示す手技詳細画面９０に戻り（図３のステップＳ１５）、状態表示エリア３２の操作ボタン３２ａ〜３２ｃには、夫々新たに設定された設定値が表示される。また、図１２に示す撮影条件設定変更画面９０Ａの設定変更の調整部９６における「キャンセル」ボタン９７ｂをタッチ操作すると、例え変更操作が行なわれていても、変更なしで図１１に示す手技詳細画面９０に戻る（図３のステップＳ１５）。
【０１０３】
なお、この撮影条件設定変更画面９０Ａでの「ＯＫ」ボタン６３，「キャンセル」ボタン６４，「撮影画面」ボタン６６は機能しない。
【０１０４】
図１１に示す手技詳細画面９０において、可動絞り装置８（図１）の設定状態を示す状態表示エリア３４でのいずれかの設定条件の操作ボタンを操作すると、この操作ボタンに対し、設定変更をするための調整部９８のウィンドウが現われる図１３に一具体例として示す撮影条件設定変更画面９０Ｂが表示される（図３のステップＳ１６）。この調整部９８は、選択した操作ボタンに該当する設定条件の変更ができるようにするものであり、その変更方法としては、図１２に示す調整部９６のような調整部を設けたものもあるが、図１３に示すように、予め設けられている設定条件を選択するようにするものもある。この場合には、いずれかの設定条件を選択すると、図１１に示す手技詳細画面９０に戻る（図３のステップＳ１７）。このようにして、可動絞り装置８（図１）の設定状態を調整・変更することができる。
【０１０５】
以上のように、手技詳細画面９０では、検査関連情報表示エリア６２’での検査情報の更新や追加などの編集を行なう場合、体厚補正の操作エリア９２ａでの体厚補正や部位の一覧９２ｂ，手技の一覧９２ｃの操作によって検査情報の編集をするとともに、この編集された検査情報に対する標準的なＸ線の撮影条件が状態表示エリア３２，３４に同時に表示されるから、Ｘ線技師は、同じ画面で検査情報の編集とともに、その編集された検査情報での標準的な撮影条件も同時に認識できる。しかも、状態表示エリア３２，３４に表示される撮影条件は変更可能に表示されるものであるから、検査情報の編集とともに、これに対する撮影条件の修正を行なうことができ、撮影前の作業を間違いなくかつ円滑に行なうことが可能となる。
【０１０６】
以上のような各設定条件の編集が行なわれたＩＤ入力画面６０において、「ＯＫ」ボタン６３をタッチ操作すると、図５に示す予約登録確認画面３０に戻る（図３のステップ１８）。この場合、上記のように、患者の関連情報や検査情報が編集された場合には、その結果が含まれることになる。
【０１０７】
この予約登録確認画面３０で「患者追加」ボタン４８がタッチ操作されると（図３のステップＳ１９）、あるいはまた、図８に示すＩＤ入力画面６０で「新規」ボタン６５がタッチ操作されると、このＩＤ入力画面６０と同様のフォーマットの、即ち、「撮影」タブ１０１と「表示」タブ１０２とが選択可能であって、この「撮影」タブ１０１には、患者関連情報欄１０３と検査関連情報欄１０４とが設けられた図１４に一具体例として示す新規登録画面１００が表示される。
【０１０８】
この新規登録画面１００は、当該Ｘ線技師が検査担当する新規の患者の検査日毎の検査情報を登録するためのものであって、表示されたときには、患者関連情報表示エリア１０３も検査関連情報表示エリア１０４も空欄となっている。この検査日は、タッチ操作によって日付を変えることができる「検査日」欄１０６によって指定される。
【０１０９】
ここで、「検査日」欄１０６によって検査日（例えば、2004/02/26）を指定し、患者関連情報表示エリア１０３での「名前」あるいは「ナマエ」の表示欄１０３ａをタッチ操作すると、図９に示す患者情報編集画面７０が表示される（図３のステップ２０）。但し、この場合には、メイン情報表示エリア７１での各欄７１ａ，７１ｂ，……は空欄となっており、キーボード２３などをタッチ操作することにより、新規患者の名前やその振り仮名を入力することができる。かかる入力が終了して「ＯＫ」ボタン２６をタッチ操作すると、この新規患者の名前が登録され、図１４に示す新規登録画面１００に戻るが（図３のステップＳ２１）、患者関連情報表示エリア６１での「名前」，「ナマエ」の欄１０３ａには、上記にように入力された新規患者の名前やその振り仮名が表示される。
【０１１０】
また、患者関連情報表示エリア１０３での「生年月日」などの数字を入力する表示欄１０３ｂや「性別」の表示欄１０３ｃをタッチ操作すると、図１０に示す患者情報編集画面８０が表示される（図３のステップ２２）。但し、この場合には、メイン情報表示エリア８１での各欄８１ａ，８１１ｂ，……は空欄となっており、テンキー８２などをタッチ操作することにより、上記のように、新規患者の検査番号ＮｏやＩＤ，生年月日，性別を入力することができる。かかる入力が終了して「ＯＫ」ボタン６３をタッチ操作すると、図１４に示す新規登録画面１００に戻るが（図３のステップＳ２３）、患者関連情報表示エリア６１での「検査番号Ｎｏ」や「患者ＩＤ」，「生年月日」，「性別」の欄１０３ｂには、上記にように入力された新規患者の情報が表示される。
【０１１１】
この新規登録画面１００において、検査関連情報表示エリア１０４での「手技編集」ボタン１０５をタッチ操作すると、図１１に示す手技詳細画面９０と同様のフォーマットの手技詳細画面１１０が、図１５に一具体例として示すように、表示される（図３のステップＳ２４）。但し、この手技詳細画面１１０では、情報表示欄１１１の検査関連情報表示エリア６２は空欄となっており、また、患者関連情報表示エリア６１でも、上記のように新患者の情報が入力されていないときには、空欄となっている。
【０１１２】
なお、患者関連情報表示エリア６１でのサブ情報６１ｂの表示欄では、メイン情報６１ａが入力されていれば、この医療機関のデータベースなどを用いることにより、自動的に入力されて表示される。
【０１１３】
また、手技詳細画面１１０では、情報表示エリア１１１に、手技の詳細が「大人」タブ１１１ａと「子供」タブ１１１ｂとが選択的に設けられ、先ずは、「大人」タブ１１１ａの詳細が表示される。この「大人」タブ１１１ａでは、体厚補正部１１２ａや互いに関連付けた部位の一覧１１２ｂと手技の一覧１１２ｃとが設けられている。部位の一覧１１２ｂから検査対象となる部位を選択（その表示部分をタッチ操作）すると、この部位に対する手技の一覧１１２ｃが表示され、その中から所定の手技を選択（その表示部分をタッチ操作）することにより、かかる選択に対応する検査情報が検査関連情報表示エリア６２に表示される。選択された部位１１２ｂ１は、白黒反転の白抜きで表示され、また、矢印の指示マークが手技の一覧１１２ｃを指し示すように表示され、表示された手技の一覧１１２ｃがこの選択された部位１１２ｂ１に対するものであることが示される。
【０１１４】
このようにして、新患者に必要とする夫々の部位，手技を順次選択することができ、その選択結果が、図１４に示す「検査日」欄１０６で指定される検査日での検査のための情報として順次検査関連情報表示エリア６２に表示される。そして、「検査日」欄１０６をタッチ操作することにより、検査日を変えることができ、異なる検査日でのこの新規患者の検査に関する情報を順次入力することができる。
【０１１５】
そして、検査関連情報表示エリア６２に検査情報が入力されたときには、図１１に示す手技詳細画面９０と同様、この入力された検査情報に対する標準的なＸ線の撮影条件が、調整を可能とする状態で、状態表示エリア３２，３４に同時に表示され、これにより、Ｘ線技師は、同じ画面で入力した検査情報の標準的な撮影条件を認識できるとともに、これを調整することも可能となる。
【０１１６】
なお、このようにして検査関連情報表示エリア６２に表示された検査情報のうち、不要な検査情報は、それが表示される表示欄をタッチ操作し、次いで「削除」ボタン９５をタッチ操作することにより、削除することができる。
【０１１７】
手技詳細画面１１０に表示される「ＯＫ」ボタン６３や「キャンセル」ボタン６４も、先に図８に示す「ＯＫ」ボタン６３，「キャンセル」ボタン６４と同様の機能を持つものであって、「ＯＫ」ボタン６３や「キャンセル」ボタン６４をタッチ操作すると、図１４に示す新規登録画面１００に戻るが（図３のステップＳ２５）、上記のように、新規患者の関連情報やその検査情報が入力されているので、図８に示すＩＤ入力画面６０と同様の表示状態となる。
【０１１８】
そして、この新規患者の情報が入力されて表示されたこの新規登録画面１００において、「ＯＫ」ボタン６３または「キャンセル」ボタン６４をタッチ操作すると、図５に示す予約登録確認画面３０に戻る（図３のステップＳ２６）。このとき、上記のようにして入力された新規患者の登録検査のうち、この予約登録確認画面３０の「日付」ボタン３９で表示される検査日（撮影日）で行なわれる検査がある場合には、この検査の情報が検査情報４４として追加表示されることになる。
【０１１９】
図５に示す予約登録確認画面３０には、「撮影画面」ボタン４９が操作可能に設けられており、また、図８に示すＩＤ入力画面６０や図１１に示す手技詳細画面９０，図１４に示す新規登録画面１００，図１５に示す手技詳細画面１１０にも、「撮影画面」ボタン６６が操作可能に設けられている。これら「撮影画面」ボタン４９，６６は同じ機能を持つものであり、かかる「撮影画面」ボタン４９，６６をタッチ操作すると、図１６に一具体例として示す撮影画面１２０が表示される（図３のステップＳ２７〜Ｓ３０）。
【０１２０】
この撮影画面１２０では、図５に示す予約登録確認画面３０において、検査日が今日である検査の一覧４３で先頭に表示される検査情報４４（ここで、図５において、「日付」ボタン３９で表示される検査日（撮影日）である２００４年２月２６日が今日であるとすると、予約登録確認画面３０で表示される検査の一覧４３が今日検査が行なわれる検査を表わすものであり、この場合、検査番号Ｎｏが「256736489」の検査）が指定され、患者関連情報表示エリア６１”と検査関連情報表示エリア６２”とに表示される。この患者関連情報表示エリア６１”に表示される患者関連情報は、指定された検査情報４４に該当する患者（検査対象者）に関する情報であり、図８に示すＩＤ入力画面６０での患者関連情報表示エリア６１と同じ内容の情報である。
【０１２１】
また、検査関連情報表示エリア６２”には、患者関連情報表示エリア６１”に患者関連情報が表示されるこの患者（即ち、ＩＤが「15006878164」の患者）の全ての検査に関する検査情報欄６２ａ１，６２ａ２，６２ａ３，６２ａ４，……が操作可能に設けられて、夫々毎に手技などの検査情報が表示される。
【０１２２】
日付欄３５には、今日の日付が表示され、この日付で行なわれる検査に対しては、該当する検査情報欄が白抜きで表示される。ここで、このＩＤ「15006878164」の患者に対し、「胸部立位ＬＡＴ」と「胸椎２Ｒ」との検査が今日予約されているものとすると、検査情報欄６２ａ２，６２ａ３が白抜き表示されていることになる。また、各検査情報欄６２ａ１，……には、状態マーク１２３が設けられており、検査が済んでいるか、済んでいないかを表わする。済んでいる検査に対する検査情報欄６２ａ１，６２ａ２，６２ａ３，６２ａ４，……での枠状の状態マーク１２３は、例えば、アルファベットａ，ｂ，……が付され（例えば、検査情報欄６２ａ１での「胸部立位ＰＡ」）、済んでいない場合には、例えば、「No Image」が付される（例えば、検査情報欄６２ａ３での「胸椎２Ｒ」や検査情報欄６２ａ４での「胸椎ＡＰ」など）。また、撮影したが、何らかの理由でＸ線撮影画像が不要となって破棄した検査情報に対しては、情報マーク１２３に「×」印を付す。検査情報欄６２ａ１の検査情報は、その例を示すものである。
【０１２３】
ここで、今日（２００４年２月２６日）予約されている検査の検査情報欄６２ａ２をタッチ操作すると、撮影装置本体１（図１）でこの患者の「胸部立位ＬＡＴ」のＸ線撮影が行なわれ（これにより、状態マーク１２３は「No Image」からアルファベット「ｂ」に表示が変わる）、撮影画面表示エリア１２１にＸ線撮影画面が表示される。このとき、Ｘ線撮影が行なわれた検査の検査情報欄６２ａ２には、白付記の矢印で撮影画面表示エリア１２１のＸ線撮影画面を指し示す指示マーク１２２が表示され、撮影画面表示エリア１２１に表示されるＸ線撮影画面がどの検査のものであるかを示す。
【０１２４】
このように、撮影画面１２０では、Ｘ線撮影の結果であるＸ線撮影画面と患者関連情報，検査関連情報、特に、検査関連情報（手技）とが同時に表示されるので、この手技がＸ線撮影画面を確認するための参考資料として利用することができ、Ｘ線撮影画面の確認を正確かつ容易に行なうことができる。
【０１２５】
また、既に行なわれたＸ線撮影の検査情報も、上記のように、Ｘ線撮影画像が破棄されたものであっても、Ｘ線撮影画像以外の手技などに関する情報はそのまま保存される。このため、撮影画面１２０では、検査情報欄６２ａ１のように、Ｘ線撮影画像が破棄された検査情報欄も表示されるから、後に同様の手技のＸ線撮影の撮影条件の設定の参考にすることが可能となる。
【０１２６】
なお、「撮影枚数／予約枚数」の欄６２ｂでは、「２／６」と表示され、予約された検査が６件となっているのに対し、検査情報が４件表示されているだけであるが、スクロールバー９４をタッチ操作することにより、残りの検査情報を表示させることができる。
【０１２７】
この撮影画面表示エリア１２１の下方には、操作エリア１２４が設けられており、これに「画質調整（Ｌ（明るさ）／Ｗ（コントラスト）／γ（ガンマ））」ボタン１２４ａ，「画面変更（Image Proc.）」ボタン１２４，「転送（Transfer）」ボタン１２４，「プリント（Printer）」ボタン１２４，「記録（Archive）」ボタン１２４，「オプション（Option）」ボタン１２４が操作可能に表示されている。
【０１２８】
「画質調整」ボタン１２４ａをタツチ操作すると（図３のステップＳ３４）、撮影画面表示エリア１２１に表示されるＸ線撮影画面の明るさやコントラスト，ガンマ特性を調整することができる。「画面変更」ボタン１２４ｂをタッチ操作すると（図３のステップＳ３５）、撮影画面表示エリア１２１に表示されるＸ線撮影画面の表示形態の変更、即ち、上下反転や白黒反転などを行なうことができる。また、「転送」ボタン１２４ｃをタッチ操作すると（図３のステップＳ３１）、撮影画面表示エリア１２１に表示されるＸ線撮影画面などを他の必要な装置に転送することができ、「プリント」ボタン１２４ｄをタッチ操作すると（図３のステップＳ３２）、撮影画面表示エリア１２１に表示されるＸ線撮影画面がプリントされる。また、「記録」ボタン１２４ｅをタッチ操作すると（図３のステップＳ３３）、撮影画面表示エリア１２１に表示されるＸ線撮影画面が記録媒体に記録されて保存される。さらに、「オプション」ボタン１２４ｆは、「転送」ボタン１２４ｃ，「プリント」ボタン１２４ｄ，「記録」ボタン１２４ｅの機能を変えることができるものであって、これをタッチ操作すると（図３のステップＳ３６）、自動と手動との切換画面（図示せず）が表示され、「転送」ボタン１２４ｃや「プリント」ボタン１２４ｄ，「記録」ボタン１２４ｅで実行される機能を自動化するか否かを選択することができる。例えば、「オプション」ボタン１２４ｆをタッチ操作して切換画面を表示させ、この切換画面で「自動」を選択し、そして、「転送」ボタン１２４ｃをタッチ操作すると、撮影画面表示エリア１２１に表示されるＸ線撮影画面は予め決められた転送先やプリンタに自動的に転送されることになる。また、この切換画面で「手動」を選択すると、転送したい転送先やプリンタを指定するための操作画面が入力され、これで転送先やプリンタ情報を入力して「転送」ボタン１２４ｃをタッチ操作すると、撮影画面表示エリア１２１に表示されるＸ線撮影画面で表示される画像データが、入力された転送先やプリンタに転送されることになる。このことは、「プリント」ボタン１２４ｄや「記録」ボタン１２４ｅについても同様である。
【０１２９】
図１７は図１６における「画質調整」ボタン１２４ａをタッチ操作することによって表示される画質調整（Ｌ／Ｗ／γ）画面１３０の一具体例を示すものであって（図３のステップＳ３４）、調整エリア１３１，１３２とプリセットエリア１３３，操作エリア１３４とが設けられ、これに撮影画面１２０（図１６）と同じＸ線撮影画面が表示された撮影画面表示エリア１２１が設けられている。
【０１３０】
調整エリア１３１は撮影画面表示エリア１２１に表示されるＸ線撮影画面の明るさやコントラストを調整するためのものであって、明るさを表わす目盛１３１ｄとこの目盛１３１ｄ上を移動可能な調整ボタン１３１ａ，１３１ｂとこの目盛１３１ｄに沿って移動可能な調整ボタン１３１ｃとが操作可能に設けられている。これら調整ボタン１３１ａ，１３１ｂの間隔がコントラストを表わし、調整ボタン１３１ｃの目盛１３１ｄに対する位置が明るさを表わしている。従って、調整ボタン１３１ａ，１３１ｃの間隔を変化させることにより、コントラストを調整することができ、調整ボタン１３１ｃの位置を変化させることにより、明るさを調整することができる。この他に、明るさ調整用の「＋−」ボタン１３１ｅとコントラスト調整用の「＋−」ボタン１３１ｆが設けられており、これらを操作することによっても、明るさやコントラストを調整することができる。
【０１３１】
調整エリア１３２は撮影画面表示エリア１２１に表示されるＸ線撮影画面のガンマ特性を調整するためのものであって、「＋−」ボタン１３２ａを操作することにより、ガンマ特性を調整することができるが、「調整」ボタン１３２ｂを操作することにより、プリセットされている複数のガンマ特性を順に切り換えるようにしてガンマ特性の調整をすることができる。特性表示エリア１３２ｃには、設定されているガンマ特性が表示されるものであって、ここで表示されているガンマ特性がプリセットされているガンマ特性である場合には、表示エリア１３２ｄにその番号が表示される。
【０１３２】
プリセットエリア１３３には、検査する部位（図６に示す頭部や胸部など）毎にプリセットされる明るさやコントラスト，ガンマ特性の初期特性を設定，変更可能とするものであり、例えば、「Preset１」ボタン１３３ａは「頭部」に関する設定，変更ボタンであり、「Preset２」ボタン１３３ｂは「胸部」に関する設定，変更ボタンである。
【０１３３】
この画質調整画面１３０が表示され始めるときには、撮影画面表示エリア１２１に表示されるＸ線撮影画面の明るさやコントラスト，ガンマ特性は、プリセットエリア１３３でプリセットされた初期特性に設定されており、調整エリア１３１，１３２の調整操作により、これらの特性を調整することができる。
【０１３４】
操作エリア１３４において、「初期化（Initialize）」ボタン１３４ａをタッチ操作すると、これまで調整された各特性はキャンセルされ、初期特性に戻される。また、「反転（Invert）」ボタン１３４ｂがタッチ操作されると、撮影画面表示エリア１２１で表示されるＸ線撮影画面が白黒反転されることになる。これによって、Ｘ線撮影画面が見易くなる場合もある。
【０１３５】
以上のような調整後、「ＯＫ」ボタン６３をタッチ操作すると、図１６に示す撮像画面１２０に戻り（図３のステップＳ３７）、撮影画面表示エリア１２１では、新たに設定された明るさ，コントラスト，ガンマ特性でＸ線撮影画面が表示されることになる。また、画質調整画面１３０で「キャンセル」ボタン６４をタッチ操作すると、画質調整画面１３０での特性の設定はキャンセルされて図１６に示す撮像画面１２０に戻り（図３のステップＳ３７）、撮影画面表示エリア１２１では、元の明るさ，コントラスト，ガンマ特性でＸ線撮影画面が表示されることになる。
【０１３６】
撮像画面１２０の操作エリア１２４での「画面変更」ボタン１２４ｂをタッチ操作した場合も、図示しないが、同様にして、画面変更画面が表示され、撮影画面表示エリア１２１に表示されるＸ線撮影画面を上下反転や白黒反転などの表示態様を変更させることができる。
【０１３７】
図１６に示す撮影画面１２０において、状態表示エリア３１，３２，３４では、検査関連情報エリア６２”に表示される検査情報欄のうちの、次にＸ線撮影が行なわれるＸ線撮影検査に対する各部（図１における撮影装置本体１での各装置）の状態が表示されている。この場合には、検査表示欄６２ａ３に検査情報が表示されるＸ線検査が次に行なわれる検査であるから、この検査に対する各部の状態が表示されていることになる。ここでは、検査情報欄６２ａ３で表示される「胸椎２Ｒ」の検査について、夫々の状態が表示されることになる。状態表示エリア３２，３４では、図１２，図１３で説明したように、Ｘ線高電圧装置４（図１）や可変絞り装置８（図１）の条件、即ち、撮影条件を変更，調整することができるように、操作可能な状態となっている。
【０１３８】
図１６に示すように、検査情報欄６２ａ２の検査結果を撮影画面表示エリア１２１で表示している状態で、当該患者の次に行なう検査に対しては、その検査情報欄６２ａ３をタッチし、次いで、「手技編集」ボタン１２５をタッチ操作することにより、この検査情報欄６２ａ３の検査に対し、手技の変更などを行なうことができる。
【０１３９】
このように、タッチ操作をすると、図１８に一具体例として示す手技詳細画面１４０が表示される（図３のステップＳ３８）。この手技詳細画面１４０は、撮影画面１２０に関し、図１１に示す手技詳細画面９０と同じフォーマットで表示される。このため、患者関連情報表示エリア６１”と検査関連情報表示エリア６２”とは、撮像画面１２０に対応する部分に同一符号をつけているが、それ以外のエリアについては、図１１に対応する部分に同一符号をつけている。
【０１４０】
この手技詳細画面１４０では、まだ行なわれていない検査に対して、手技の変更などの編集や新たな手技（検査）の追加ができるが、既に行なわれた検査に対しては、編集を行なうことができない。従って、この場合には、検査情報欄６２ａ１，６２ａ２の検査は、行なわれているから、編集することができない。
【０１４１】
編集する場合には、図１１に示す手技詳細画面９０と同様、編集しようとする検査の検査情報欄（例えば、検査情報欄６２ａ３）をタッチ操作し（これにより、図示するように、タッチ操作された検査情報欄６２ａ３は白黒反転（白抜き）表示される）、部位の一覧９２ｂで検査しようとする部位を、また、手技の一覧９２ｃで検査の手技を夫々タッチ操作して選択する。これにより、この検査情報欄（この場合、検査情報欄６２ａ３）の手技が変更され、検査内容が変更される。この場合も、図１１での手技詳細画面９０と同様、撮影条件、即ち、この修正された手技に対するＸ線高電圧装置４（図１）の標準的な設定情報が状態表示エリア３２に、可動絞り装置８（図１）の標準的な設定情報が状態表示エリア３４に夫々同時に表示される。かかる設定情報は、図１２，図１３で説明したように、調整可能である。
【０１４２】
また、検査関連情報表示エリア６２”で検査情報欄を選択せず、部位の一覧９２ｂと手技の一覧９２ｃとで選択操作をすると、この選択された部位の手技が新たな検査として、検査関連情報表示エリア６２”に追加されることになる。この場合も、図１１での手技詳細画面９０と同様、この修正された手技に対するＸ線高電圧装置４（図１）の標準的な設定情報が状態表示エリア３２に、可動絞り装置８（図１）の標準的な設定情報が状態表示エリア３４に夫々表示される。かかる設定情報は、図１２，図１３で説明したように、調整可能である。
【０１４３】
なお、「撮影枚数／予約枚数」の欄６２ｂでは、検査関連情報表示エリア６２”で予約されている検査（Ｘ線撮影）の既に撮影がなされた検査数（撮影枚数）と予約された全体の検査数（予約枚数）とが表示されるが、ここでは、「２／６」と表示されている。これは、当該患者について、６件の検査予約がなされており、そのうちの２件が既に撮影済みであることを示している。
【０１４４】
なお、検査関連情報表示エリア６２”でのまだ行なわれていない検査に対する検査情報欄をタッチして選択し、「削除」ボタン９５をタッチ操作すると、その検査情報欄が削除されてその検査が削除される。
【０１４５】
また、以上のように編集が行なわれた後、「ＯＫ」ボタン６３をタッチ操作すると、図１６に示す撮影画面１２０に戻る（図３のステップＳ３９）。この撮像画面１２０では、検査情報表示欄６２”が編集されている。また、図１８に示す手技詳細画面１４０で「キャンセル」ボタン６４がタッチ操作されると、この場合も、図１６に示す撮影画面１２０に戻るが（図３のステップＳ３９）、手技詳細画面１４０での編集結果がキャンセルされていて、その検査情報表示欄６２”は編集されていない。
【０１４６】
また、この撮影画面１２０の患者関連情報表示エリア６１”に設けられている「過去画像」ボタン１２６をタッチ操作すると、図１９に一具体例として示す過去画像確認画面１５０が表示される（図３のステップＳ４０）。
【０１４７】
この過去画像確認画面１５０では、図１６に示す撮像画面１２０での患者関連情報表示エリア６１”に表示される患者（ここでは、患者ＩＤが「15006878164」の患者）の既に撮影されたＸ線撮影画像を確認できるようにするものであって、撮影画面表示エリア１５１にその画像の１つが表示される。この過去画像確認画面１５０でも、この患者の患者関連情報表示欄６１”と既に行なわれた検査に関する検査情報を表示した過去検査情報関連表示エリア１５２が設けられている。この患者関連情報表示欄６１”には、図１６に示す撮影画面１２０の患者関連情報表示欄６１”と同じ内容の情報が表示され、過去検査情報関連表示エリア１５２では、この患者関連情報表示欄６１”に表示される患者の既に行なわれた検査（Ｘ線撮影）についての検査情報の表示欄、即ち、検査情報欄１５２ａ１，１５２ａ２，１５２ａ３がタッチ操作可能に表示される。ここでは、検査関連情報表示エリア１５２に、３個の検査情報欄１５２ａ１〜１５２ａ３が表示されるものとしているが、これ以上の過去の検査情報がある場合には、スクロールバー１５３を操作することにより、それを表示させるようにすることができる。
【０１４８】
そして、検査関連情報表示エリア１５２での検査情報欄１５２ａ１〜１５２ａ３のいずれか、例えば、検査情報欄１５２ａ２をタッチ操作して選択すると、この選択された検査情報欄１５２ａ２の検査（Ｘ線撮影）によるＸ線撮影画面が撮影画面表示エリア１５１に表示される。このとき、選択された検査情報欄１５２ａ２は白黒反転した白抜きの形態で表示され、かつこの選択された検査情報欄１５２ａ２に矢印の指示マーク１５４が、撮影画面表示エリア１５１を指し示すように、表示され、撮影画面表示エリア１５１に表示されるＸ線撮影画面が検査情報欄の検査「胸椎２Ｒ」のものであることを示す。
【０１４９】
このようにして、過去検査関連情報表示欄１５２で表示される過去の検査夫々のＸ線撮影結果を確認することができ、これを新たに行なうＸ線撮影での撮影条件を決定する際の参考とすることができる。
【０１５０】
かかる確認後、「閉じる」ボタン１５５をタッチ操作すると、図１６に示す撮影画面１２０に戻る（図３のステップＳ４０）。
【０１５１】
図１６に示すこの撮影画面１２０において、撮影画面表示エリア１２１でのＸ線撮影画面を確認し、あるいは検査関連情報表示エリア６２”の編集や状態表示エリア３２，３４での撮影条件の調整を行なった後、「撮影終了」ボタン１２６をタッチ操作すると、図５に示す予約登録確認画面３０に戻ることになる（図３のステップＳ４２）。
【０１５２】
以上は図５に示す予約登録確認画面３０において、「撮影」タブ３７が選択されているときの説明であるが、「表示」タブ３８が選択されたときには、ログイン画面２０（図４）で入力した名前とパスワードのＸ線技師（当該Ｘ線技師）のこれまでの検査のリストや患者のリストを表示させることができる。なお、ＩＤ入力画面３０（図８）や新規登録画面１００（図１４），撮影画面１２０（図１６）についても同様である。
【０１５３】
図５に示す予約登録確認画面３０、あるいは上記の各画面で「表示」タブ３８を選択すると（図３のステップＳ４３）、図２０に示す処理の流れとなり、図２１に一具体例として示す検査リスト画面１６０が表示される。この検査リスト画面１６０は、「表示タブ」３８の内容を展開したものであって、その展開される内容としては、「検査リスト」タブ１６１ａと「患者リスト」タブ１６１ｂとがあって、この「検査リスト」タブ１６１ａの内容、即ち、検査リスト１６２が展開されたものである。
【０１５４】
「検査リスト」タブ１６１ａでは、検査Ｎｏ（番号）と患者のＩＤと患者の名前と検査日と年齢と性別と手技とからなる検査情報１６２ａで表わされるこれまでの検査を一覧、即ち、検査リスト１６２で表わしたものであり、各検査情報の表示欄は操作可能となっており、最初のタッチ操作では、指定されて表示欄が白黒反転の白抜き表示され、再度タッチ操作すると、指定が解除されて元の表示状態となる。
【０１５５】
また、この「検査リスト」タブ１６１ａでは、検査リスト１６２から所望とする検査情報１６２ａを選択して表示させるための「検査選択（Selected Study）」ボタン１６３が操作可能に設けられている。そこで、所定の検査、例えば、検査Ｎｏ「3655698745」と「4255698745」の検査をタッチすると、これらが指定されて図示する表示状態となり、かかる状態で「検査選択」ボタン１６３をタッチ操作すると、図２２に一具体例として示すように、検査表示エリア１７１に選択された検査の検査情報１６２ａだけが表示された選択済検査リスト画面１７０が表示される（図２０のステップＳ４４）。
【０１５６】
この選択済検査リスト画面１７０は、その「検査」タブ１６１ａに検査リスト画面１６０（図２１）の「検査リスト」タブ１６１ａで選択された検査情報１６２ａのみが表示され、これ以外は検査リスト画面１６０と同様である。この検査リスト画面１７０でも、検査リスト１６２で表示されるこの選択済検査リスト画面１７０で「検査リスト（Study List）」ボタン１７１をタッチ操作すると、図２１に示す検査リスト画面１６０に戻る（図２０のステップＳ４５）。
【０１５７】
図２１に示す検査リスト画面１６０には、操作エリア１６４が設けられており、これに「表示（Display）」ボタン１６４ａ，「全選択（All Select）」ボタン１６４ｂ，「転送（Transfer）」ボタン１６５ａ，「プリント（Printer）」ボタン１６５ｂ，「記録（Archive）」ボタン１６５ｃ，「オプション（Option）」ボタン１６５ｄが操作可能に表示されている。
【０１５８】
「全選択（All Select）」ボタン１６４ｂは、これがタッチ操作されることにより、検査リスト１６２の全ての検査情報１６２ａが選択された状態とする。この「全選択（All Select）」ボタン１６４ｂを再度タッチ操作すると、ここに検査情報を選択した場合も含めて、検査情報の選択を解除することができる。
【０１５９】
ここで、「転送（Transfer）」ボタン１６５ａ，「プリント（Printer）」ボタン１６５ｂ，「記録（Archive）」ボタン１６５ｃ，「オプション（Option）」ボタン１６５ｄは、図１６に示した撮影画面１２０の操作エリア１２４に設けられている「転送（Transfer）」ボタン１２４ｃ，「プリント（Printer）」ボタン１２４ｄ，「記録（Archive）」ボタン１２４ｅ，「オプション（Option）」ボタン１２４ｆと同一機能を有するものであって、「オプション」ボタン１２４ｆで手動が設定されている場合、図１６で説明したのと同様にして、上記のように検査情報１６２ａのいずれかあるいは全てを選択した状態で、「転送」ボタン１２４ｃをタッチ操作すると、この選択されている検査情報が指定された転送先に転送され、「プリント」ボタン１２４ｄをタッチ操作すると、この選択されている検査情報が指定されたプリンタでプリントされ、「記録」ボタン１２４ｅをタッチ操作すると、この選択されている検査情報が指定された記録装置で記録されることになる。また、図１６で説明したのと同様にして、「オプション」ボタン１２４ｆで自動が設定されているときに、「転送」ボタン１２４ｃ，「プリント」ボタン１２４ｄ，「記録」ボタン１２４ｅのいずれかをタッチ操作すると、選択された検査情報１６２ａが自動的に、予め決められた転送先に転送され、あるいは予め決められたプリンタでプリントされ、あるいは予め決められた記録装置で記録される。
【０１６０】
以上のことは、図２２に示す選択済検査リスト画面１７０についても同様であり、検査リスト画面１６０と同様の操作エリア１６４が設けられていて、選択された検査情報１６２ａに対し、上記の操作を行なうことができる。
【０１６１】
図２１に示す検査リスト画面１６０において、検査リスト１６２での検査情報１６２ａのうちのいずれか１つを上記のように選択し、操作エリア１６４での「表示ボタン」１６４ａをタッチ操作すると、図２３に一具体例を示す撮像結果表示画面１８０が表示される（図２０のステップＳ４６）。あるいはまた、図２２で示す選択済検査リスト画面２２において、検査リスト１６１ａでの検査情報１６２ａのいずれか１つを選択し、その操作エリア１６４での「表示」ボタン１６４ａをタッチ操作すると、図２３に一具体例を示す撮像結果表示画面１８０が表示される（図２０のステップＳ４８）。
【０１６２】
この撮像結果表示画面１８０では、選択された検査情報１６２ａについて、図１６に示す撮影画面１２０と同様の患者関連情報表示エリア６１”とそこで表示される患者での検査関連情報表示エリア６２”とが設けられ、この検査関連情報表示エリア６２”の検査情報欄６２ａ１〜６２ａ３のいずれかを選択することにより（この選択された検査情報欄の表示や指示マーク１２２の表示は、図１６に示す撮影画面１２０と同様である）、その選択された検査情報欄に対するＸ線撮影画面が撮影画面表示エリア１８１に表示される。
【０１６３】
この撮像結果表示画面１８０にも、図１６に示す撮影画面１２０と同様の操作エリア１２４が設けられ、これを操作することにより、撮影画面表示エリア１８１に表示されるＸ線撮影画面に対し、図１６に示す撮影画面１２０と同様の処理を行なうことができる。
【０１６４】
検査関連情報表示エリア６２”に設けられた「詳細情報（Detail Info.）」ボタン１８２は、検査関連情報表示エリア６２”で選択されている検査情報で設定された撮影条件をホップアップ表示させるものであって、いま、検査関連情報表示エリア６２”で検査情報欄６２ａ２が選択されていて、この「詳細情報」ボタン１８２がタッチ操作されると、状態表示エリア３２にこの選択された検査が行なわれたときのＸ線設定情報が表示され、状態表示エリア３４にこの選択された検査が行なわれたときの可変絞り装置８（図２）の設定情報が表示される。
【０１６５】
この撮影結果表示画面１８０で撮影結果を確認した後、「検査選択（Selected Study）」ボタン１８３がタッチ操作されると、図２２に示すような選択済検査リスト画面１７０に戻る（図２０のステップＳ４９）。この場合の選択済検査リスト画面１７０では、撮影結果表示画面１８０（図２３）の検査関連情報表示エリア６２”で表示された検査情報欄の検査情報１６２ａが、選択された検査情報として、表示されることになる。また、撮影結果表示画面１８０で「検査リスト（Study List）」ボタン１８４がタッチ操作されると、図２１に示す検査リスト画面１６０に戻る（図２０のステップＳ４７）。
【０１６６】
なお、撮影結果表示画面１８０において、「前の検査（Prev.Study）」ボタン１８５をタッチ操作すると、この撮影結果表示画面１８０は、現在表示している検査情報１６２ａよりも検査リスト画面１６０（図２１）で１つ前の検査情報についての同様の表示を行ない、「次の検査（Next Study）」ボタン１８６をタッチ操作すると、現在表示している検査情報１６２ａよりも検査リスト画面１６０（図２１）で１つ後の検査情報についての同様の表示を行なう。これにより、検査リスト画面１６０に戻ることなく、１つ前や１つ後の検査情報の確認をすることが可能となる。
【０１６７】
ところで、図２１の検査リスト画面１６０では、「検査リスト」タブ１６１ａが選択されており、行なわれた検査（即ち、Ｘ線撮影）に関する各情報を確認することができるものであったが、この検査リスト画面１６０で表示されている「患者リスト」タブ１６１ｂをチッタ操作して選択することにより、当該Ｘ線技師が担当する患者に関する情報の確認をすることができる。
【０１６８】
即ち、この検査リスト画面１６０で「患者リスト」タブ１６１ｂを選択すると、図２４に一具体例として示す患者リスト画面１９０が表示される（図２０のステップＳ５０）。この患者リスト画面１９０は、「表示」タブ３８に患者リスト１９１が展開されたものである。この患者リスト１９１には、患者情報１９２が一覧で表示されるものであって、これら患者情報１９２はそのＩＤと名前と年齢と性別とからなっている。全患者情報１９２を一度に表示しきれない場合には、スクロールバー１９４を操作することにより、患者リスト１９１がスクロールとして表示されていなかった患者情報１９２を表示させることができる。
【０１６９】
また、これら患者情報１９２毎に選択マーク１９２ａが設けられており、いずれかの患者情報の選択マーク１９２ａを選択すると、この選択された患者情報１９２と次の患者情報１９２との間にこの選択された患者情報の患者の既に行なわれた検査の検査情報１９３が表示される（ここでは、選択された患者の既に行なわれた検査は３つあるものとしている）。再度選択マーク１９２ａをタッチ操作すると、これら検査情報１９３の表示が終わり、患者情報１９２だけのリストが表示される状態に戻る。表示されている検査情報１９３は、それをタッチすることにより、表示が白黒反転の白抜き状態となって選択された状態となる。また、再度タッチ操作することにより、この選択が解除される。
【０１７０】
この患者リスト画面１９０でも、先の操作エリア１６４が設けられており、線や託された検査情報１９３に対して、先に図２１に示す検査リスト画面１６０での操作エリア１６４での操作と同様の処理が行われることになる。例えば、「全選択（All Select）」ボタン１６４ｂがタツチ操作されると、検査情報１９３が表示されることになり、この「全選択」ボタン１６４ｂを再度タッチ操作すると、検査情報１９３が表示されなくなって、患者情報１９２だけの表示となる。
【０１７１】
１つの患者情報１９２が選択されてその検査情報１９３が表示され、その検査情報１９３のうちの所望とする１以上の検査情報が選択されている（これらは、上記のように、白抜き表示される）ときに、「検査選択（Selected Study）」ボタン１６３がタッチ操作されると、図２５に一具体例として示す選択済患者リスト画面２００が表示される（図２０のステップＳ５１）。
【０１７２】
この選択済患者リスト画面２００は、図２２に示す選択済検査リスト画面１７０と同様であるが、患者リスト画面１９０（図２４）で選択された患者情報１９２’とその選択された検査情報１９３’とを表示する。これ以外は、選択済検査リスト１７０と同様であるので、説明を省略する。この選択済患者リスト画面２００においても、「検査リスト」ボタン１７１がタッチ操作されると、図２４に示す患者リスト画面１９０に戻る（図２０のステップＳ５２）。
【０１７３】
また、図２４に示す患者リスト画面１９０または図２５に示す選択済患者リスト画面２００において、１つの検査情報１９３が選択された状態で「表示」ボタン１６４ａがタッチ操作されると（図２０のステップＳ５３，Ｓ５５）、図２３に示す撮影結果表示画面１８０が表示されることになり、また、この撮影結果表示画面１８０で「検査リスト」ボタン１８４をタッチ操作すると、図２４に示す患者リスト画面１９０に戻り（図２０のステップＳ５４）、「検査選択」ボタン１８３がタッチ操作されると、図２５に示す選択済患者リスト画面２００に戻る（図２０のステップＳ５６）。
【０１７４】
このように、検査リストや患者リストを表示させることができるので、しかも、患者リストでは、患者を選択することにより、その患者の検査リストを表示させることができるので、新たにＸ線撮影を行なう際に、撮影条件の設定の参考とすることができる。
【０１７５】
なお、ここでは、「表示」タブ３８の選択とともに、検査リスト画面１６０（図２１）を表示させ、この検査リスト画面１６０での操作により、患者リスト１９０（図２４）を表示させるようにしたが、それとは逆に、「表示」タブ３８の選択とともに、患者リスト１９０を表示させ、この患者リスト１９０での操作により、検査リスト画面１６０を表示させるようにしてもよい。
【０１７６】
ところで、先に説明した予約登録確認画面３０（図５），ＩＤ入力画面６０（図８），新規登録画面１００（図１４），検査リスト画面１６０（図２１），選択済検査リスト画面１７０（図２２），撮影結果表示画面１８０（図２３），患者リスト画面１９０（図２４）及び選択済患者リスト画面２００（図２５）に「緊急撮影画面」ボタン３６が操作可能に設けられており、緊急にＸ線撮影（検査）を要する患者があった場合、これに対処できるようにしている。図２６はかかる「緊急撮影画面」ボタン３６がタッチ操作されたときの画面表示の流れの一具体例を示すフローチャートである。
【０１７７】
緊急にＸ線撮影が必要な患者（以下、緊急検査患者という）があった場合、図１に示す装置を起動させて図５に示す予約登録確認画面３０を表示させ、その「緊急撮影画面」ボタン３６をタッチ操作すると、あるいはまた、上記の画面表示で作業中、緊急検査患者があった場合、その表示中の画面での「緊急撮影画面」ボタン３６をタッチ操作すると、図２７に一具体例として示す緊急手技入力画面２１０が表示される（図２６のステップＳ６０）。この緊急手技入力画面２１０は、新規患者に対する手技を決めて検査情報を入力するための手技詳細画面１１０（図１５）と同様のフォーマットをなすものであり、図２７では、図１５に対応する部分同一符号を付けて重複する説明は省略する。
【０１７８】
この表示された緊急手技入力画面２１０では、患者関連情報表示エリア６１と検査関連情報表示エリア６２とは空欄となっている。但し、この緊急検査患者に対し、検査Ｎｏ（番号）が自動的に割り振られ、これにより、患者関連情報表示エリア６１でのメイン情報６１ａの「検査Ｎｏ」欄６１ａ１にこの割り振られた検査Ｎｏが自動的に入力されて表示される。
【０１７９】
また、この緊急手技入力画面２１０には、例えば、「大人」タブ１１１ａが選択された状態にあり、この「大人」タブ１１１ａに体厚補正部１１２ａや部位の一覧１１２ｂや手技の一覧１１２ｃが操作可能に表示されている。この手技の一覧１１２ｃには、部位の一覧１１２ｂで選択された部位における手技が表示される。これら部位の一覧１１２ｂと手技の一覧１１２ｃとを操作することにより、検査関連情報表示エリア６２での検査情報の入力が行われる。
【０１８０】
即ち、体厚補正部１１２ａで所定の体厚を設定し、部位の一覧１１２ｂで緊急検査患者に必要な所定の部位、例えば、「胸部」１１２ｂ１をタッチ操作して選択すると、手技の一覧１１２ｃはこの部位「胸部」１１２ｂ１に対する手技に対するものとなり、また、この「胸部」１１２ｂ１の表示欄が白黒反転した白抜き表示となるとともに、この手技の一覧が部位「胸部」１１２ｂ１に対することを示す矢印の指示マークが表示される。
【０１８１】
そして、この手技の一覧１１２ｃで必要な手技をタッチ操作によって選択すると、図２８に示すように、これら選択された手技が、検査情報６２ａとして、入力されて検査関連情報表示エリア６２に表示される。また、図示するように、検査情報６２ａが４つ入力されたとすると、「撮影枚数／予約枚数」欄６２ｂでは、「０／４」と表示される。
【０１８２】
なお、検査情報が入力される毎に、表示エリア３２，３４に夫々この入力された検査情報に対する上記の標準的な撮影条件が調整可能に表示される。これにより、検査情報の入力毎に、その検査情報に対する撮影条件を認識でき、調整することができる。
【０１８３】
以上のようにして検査情報６２ａを入力した後、「患者情報入力」ボタン２１１をタッチ操作することにより、患者関連情報表示エリア６１に緊急検査患者の情報を入力することができるようになる。
【０１８４】
即ち、この「患者情報入力」ボタン２１１をタッチ操作すると、図２９に一具体例として示す緊急ＩＤ入力画面２２０が表示される（図２６のステップＳ６１）。この緊急ＩＤ入力画面２２０は、図８に示したＩＤ入力画面６０と同様に、患者関連情報表示エリア６１と検査関連情報表示エリア６２とが表示され、患者関連情報表示エリア６１では、メイン情報６１については、緊急検査患者に関する各項目「ＩＤ」，「名前」，「ナマエ」，「生年月日」，「年齢」，「性別」が空欄となっていて、操作可能な（即ち、入力可能な）状態に表示されている。患者関連情報表示エリア６１のサブ情報６１ｂの欄では、診察部署や医師など既に決まってサーバに登録されている場合には、自動的に入力されて表示される。
【０１８５】
メイン情報６１を入力する場合には、ＩＤ入力画面６０（図８）と同様に、患者関連情報表示エリア６１で入力したい項目をタッチ操作によって指定する。これにより、項目「名前」をタッチ操作した場合の図３０に一具体例として示す患者情報入力画面２３０が表示される（図２６のステップＳ６２）。
【０１８６】
この患者情報入力画面２３０は、図９に示す患者情報編集画面７０と同様であり、これと同様の操作により、緊急患者の「名前」とその振り仮名である「ナマエ」を入力することができる。これらの入力後、「ＯＫ」ボタン６３をタッチ操作すると、図２９に示す緊急ＩＤ入力画面２２０に戻る（図２６のステップＳ６３）。なお、図３０において、図９に対応する部分には同一符号を付けている。
【０１８７】
また、図２９に示す緊急ＩＤ入力画面２２０において、患者関連情報表示エリア６１での項目「ＩＤ」，「生年月日」，「年齢」，「性別」のいずれかをタッチ操作によって指定すると、詳細な説明は省略すると、図９，図１０に示す患者情報編集画面７０，８０と同様の患者情報入力画面が表示され、同様にして、かかる項目を入力することができる。さらに、図２９に示す緊急ＩＤ入力画面２２０において、「手技編集」ボタン６２ｃをタッチ操作すると、図１１に示す手技編集画面と同様の手技編集画面が表示され、これと同様にして、緊急手技入力画面２１０（図２７，図２８）で入力された手技の編集（削除や追加など）を行なうことができる。
【０１８８】
図２９に示す緊急ＩＤ入力画面２２０で「ＯＫ」ボタン６３をタッチ操作すると、患者情報や検査情報が入力された図２８に示す緊急手技入力画面２１０に戻り（図２６のステップＳ６４）、この緊急手技入力画面２１０で「撮影画面」ボタン６６をタッチ操作すると、図１６に示す撮影画面１２０の表示に移り（図２６及び図３のステップＳ６５）、緊急検査患者のＸ線撮影をすることができるようになる。
【図面の簡単な説明】
【０１８９】
【図１】図１は本発明を用いたＸ線装置の一具体例を示すブロック構成図である。
【図２】図２は図１における各部の間での情報の流れを示す図である。
【図３】図１における操作卓での初期操作に伴う画像表示の流れを示すフローチャートである。である。
【図４】図３のステップＳ３で表示されるログイン画面の一具体例を示す図である。
【図５】図３のステップＳ４で表示される予約登録確認画面の一具体例を示す図である。
【図６】図５に示す予約登録確認画面での項目「手技」４３ｆの例を示す図である。
【図７】図５に示す予約登録確認画面の操作によって表示されるカレンダ画面の一具体例を示す図である。
【図８】図５に示す予約登録確認画面の操作によって表示されるＩＤ入力画面の一具体例を示す図である。
【図９】図８に示すＩＤ入力画面の操作によって表示される患者情報編集画面の一具体例を示す図である。
【図１０】図８に示すＩＤ入力画面の操作によって表示される患者情報編集画面の一具体例を示す図である。
【図１１】図８に示すＩＤ入力画面の操作によって表示される手技詳細画面の一具体例を示す図である。
【図１２】図１１に示す手技詳細画面の操作によって表示される撮影条件設定変更画面の一具体例を示す図である。
【図１３】図１１に示す手技詳細画面の操作によって表示される撮影条件設定変更画面の一具体例を示す図である。
【図１４】図５に示す予約登録確認画面などの操作によって表示される新規登録画面の一具体例を示す図である。
【図１５】図１４に示す新規登録画面の操作によって表示される手技詳細画面の一具体例を示す図である。
【図１６】図５に示す予約登録確認画面などの操作によって表示される撮影画面の一具体例を示す図である。
【図１７】図１６に示す撮影画面の操作によって表示される画質調整（Ｌ／Ｗ／γ）画面の一具体例を示す図である。
【図１８】図１６に示す撮影画面の操作によって表示される手技詳細画面の一具体例を示す図である。
【図１９】図１６に示す撮影画面の操作によって表示される過去画像確認画面の一具体例を示す図である。
【図２０】図５に示す予約登録確認画面での「表示」タブ３８を選択したことによる画面表示の流れの一具体例を示すフローチャートである。
【図２１】図５に示す予約登録確認画面での「表示」タブ３８を選択したことによって表示される検査リスト画面の一具体例を示す図である。
【図２２】図２１に示す検査リスト画面の操作によって表示される選択済検査リスト画面の一具体例を示す図である。
【図２３】図２１に示す検査リスト画面の操作によって表示される撮像結果表示画面の一具体例を示す図である。
【図２４】図２１に示す検査リスト画面の操作によって表示される患者リスト画面の一具体例を示す図である。
【図２５】図２４に示す患者リスト画面の操作によって表示される選択済患者リスト画面の一具体例を示す図である。
【図２６】図５に示す予約登録確認画面などの「緊急撮影画面」ボタンを操作したときの作業での画面表示の流れの一具体例を示すフローチャートである。
【図２７】図２６に示すフローチャートでの緊急手技入力画面の一具体例を示す図である。
【図２８】図２７に示す緊急手技入力画面で検査情報が入力されたときの状態を示す図である。
【図２９】図２８に示す緊急手技入力画面の操作によって表示される緊急ＩＤ入力画面の一具体例を示す図である。
【図３０】図２９に示す緊急ＩＤ入力画面の操作によって表示される患者情報入力画面の一具体例を示す図である。
【図３１】従来のＸ線撮影装置の従来例を概略的に示す図である。
【符号の説明】
【０１９０】
Ａ  撮影室
Ｂ  操作室
１  撮影装置本体
２  操作コンソール
３  ユニバーサル撮影台
４  Ｘ線高電圧装置
５  Ｘ線撮影器
６  Ｘ線照射部
７  Ｘ線管装置
８  可変絞り装置
９  ＦＰＤ
１０  アーム
１０ａ  回転軸
１２  画像処理装置
１３  操作卓
１４  表示画面
２０  ログイン画面
３０  予約登録確認画面
３１  撮影装置本体の状態表示エリア
３２  Ｘ線設定情報の表示エリア
３３  操作卓の状態表示エリア
３４  可変絞り装置の状態表示エリア
３６  「緊急撮影画面」ボタン
３７  「撮影」タブ
３８  「表示」タブ
４３  検査の一覧
４４  検査情報
５０  カレンダ画面
６０  ＩＤ入力画面
６１，６１’，６１”  患者関連情報表示エリア
６２，６２’，６２”  検査関連情報表示エリア
６２ａ，６２ａ１〜６２ａ４  検査情報
７０  患者情報編集画面
８０  患者情報編集画面
９０  手技詳細画面
９２ｂ  部位の一覧
９２ｃ  手技の一覧
９０Ａ，９０Ｂ  撮影条件設定変更画面
９６，９８  調整部
１００  新規登録画面
１０１  「撮影」タブ
１０２  「表示」タブ
１０３  患者関連情報表示エリア
１０４  検査関連情報表示エリア
１１０  手技詳細画面
１１２ｂ  部位の一覧
１１２ｃ  手技の一覧
１２０  撮影画面
１２１  撮影画面表示エリア
１２２  指示マーク
１２３  状態マーク
１２４  操作エリア
１３０  画像調整（Ｌ／Ｗ／γ）画面
１３１，１３２  調整エリア
１３３  プリセットエリア
１３４  操作エリア
１４０  手技詳細画面
１５０  過去画像確認画面
１５１  撮影画面表示エリア
１５２  過去検査情報関連表示エリア
１５２ａ１〜１５２ａ３  検査情報欄
１５４  指示マーク
１６０  検査リスト画面
１６１ａ  「検査リスト」タブ
１６１ｂ  「患者リスト」タブ
１６２  検査リスト
１６２ａ  検査情報
１６４  操作エリア
１７０  選択済検査リスト画面
１８０  撮影結果表示画面
１８１  撮影画面表示エリア
１９０  患者リスト画面
１９１  患者リスト
１９２  患者情報
１９３  検査情報
２００  選択済患者リスト画面
２１０  緊急手技入力画面
２２０  緊急ＩＤ入力画面
２３０  患者情報入力画面
【図１】
2006081761.tif 000003
【図２】
2006081761.tif 000004
【図３】
2006081761.tif 000005
【図４】
2006081761.tif 000006
【図５】
2006081761.tif 000007
【図６】
2006081761.tif 000008
【図７】
2006081761.tif 000009
【図８】
2006081761.tif 000010
【図９】
2006081761.tif 000011
【図１０】
2006081761.tif 000012
【図１１】
2006081761.tif 000013
【図１２】
2006081761.tif 000014
【図１３】
2006081761.tif 000015
【図１４】
2006081761.tif 000016
【図１５】
2006081761.tif 000017
【図１６】
2006081761.tif 000018
【図１７】
2006081761.tif 000019
【図１８】
2006081761.tif 000020
【図１９】
2006081761.tif 000021
【図２０】
2006081761.tif 000022
【図２１】
2006081761.tif 000023
【図２２】
2006081761.tif 000024
【図２３】
2006081761.tif 000025
【図２４】
2006081761.tif 000026
【図２５】
2006081761.tif 000027
【図２６】
2006081761.tif 000028
【図２７】
2006081761.tif 000029
【図２８】
2006081761.tif 000030
【図２９】
2006081761.tif 000031
【図３０】
2006081761.tif 000032
【図３１】
2006081761.tif 000033